(57)【要約】【課題】固体表面上のイオン液体の濡れ性を改善すること。【解決手段】少なくとも１種のイオン液体と少なくとも１種の機能添加剤と、適切な場合、溶媒および／またはさらなる助剤もしくは添加剤とを含む組成物、ならびに固体表面の湿潤剤としてのその使用。【選択図】なし【特許請求の範囲】
【請求項１】
固体表面の永続的な濡れのための組成物であって、少なくとも１種のイオン液体および少なくとも１種の機能添加剤および、適切な場合、溶媒および／またはさらなる助剤もしくは添加剤を含む組成物。
【請求項２】
湿潤剤または展着剤が、機能添加剤として使用されることを特徴とする、請求項１に記載の組成物。
【請求項３】
単相からなることを特徴とする、請求項１または２に記載の組成物。
【請求項４】
１種以上の界面活性剤が、機能添加剤として使用されることを特徴とする、請求項１から３の少なくとも一項に記載の組成物。
【請求項５】
前記界面活性剤が、非イオン界面活性剤、カチオン界面活性剤、両性界面活性剤およびパーフルオロ界面活性剤からなる群から単独でまたはそれらの混合物としてのいずれかで選択されることを特徴とする、請求項４に記載の組成物。
【請求項６】
有機溶媒または水および／またはそれらの混合物が、溶媒として使用されることを特徴とする、請求項１から５の少なくとも一項に記載の組成物。
【請求項７】
前記溶媒が、有機溶媒であることを特徴とする、請求項６に記載の組成物。
【請求項８】
有機変性シロキサンが、非イオン界面活性剤として使用されることを特徴とする、請求項５に記載の組成物。
【請求項９】
前記有機変性シロキサンが、ポリエーテルシロキサンであることを特徴とする、請求項８に記載の組成物。
【請求項１０】
一般式（ＸＶＩＩＩ）
【化４５】
2009185287.tif 000049
の化合物がポリエーテルシロキサンとして使用されることを特徴とする、請求項９に記載の組成物
（式中、
基Ｒｆは、基Ｒ１であってよく、ここで、
Ｒ１は、１から１６個の炭素原子を有するアルキル基もしくはアリール基であり、
または
基Ｒｆは、基Ｒ２もしくはＲ３であり、但し、少なくとも１つの基Ｒｆは、基Ｒ２であり、ここで、
Ｒ２およびＲ３は、互いに独立して、式（ＸＩＸ）
（Ｆ）ｑ（Ｏ（Ｃ２Ｈ４−ｄＲ’ｄＯ）ｍ（ＣｘＨ２ｘＯ）ｒＺ）ｗ  （ＸＩＸ）
のポリエーテル基であり、
ここで、
ｄは、１から３であり、
ｍは、＞１であり、
ｑは、０もしくは１であり、
ｘは、２から１０であり、
ｒは、＞１であり、
ｗは、１から４であり、
Ｆは、分枝であってもよい炭化水素基であり、
Ｒ’は、水素基、１から１８個の炭素原子を有する１価炭化水素基であり、
Ｚは、Ｈ原子、またはアルキルもしくはアルキルエステルもしくはアリールエステルなどの１価有機基であり、
ここで、式（ＸＶＩＩＩ）において
ｂは、０から８であり、
ａは、ｂが６から８である場合、１から１００であり、
ａは、ｂが３から６である場合、１から２００であり、
ａは、ｂが０から３である場合、１から３００である）。
【請求項１１】
前記組成物が、単相からなることを特徴とする、請求項１から１０の少なくとも一項に記載の組成物。
【請求項１２】
前記機能添加剤を含まないものと比べて少なくとも１０°小さい接触角が達成され得ることを特徴とする、請求項１から１１の少なくとも一項に記載の組成物の使用。
【請求項１３】
イオン液体により固体表面を濡らす方法における、請求項１から１１のいずれか一項に記載の組成物の使用。
【請求項１４】
濡れた面積が、添加剤を含まないものと比べて少なくとも３０％大きいことを特徴とする、請求項１３に記載の使用。
【請求項１５】
前記表面が、ガラス、金属または合金、セラミック、紙、半導体、ポリマー、石または革からなることを特徴とする、請求項１２から１４のいずれか一項に記載の使用。
【発明の詳細な説明】
【技術分野】
【０００１】
本発明は、固体表面上のイオン液体の濡れ性（wetting properties）を改善することに関する。
【背景技術】
【０００２】
先行技術：
イオン液体は、固体表面の濡れ性が重要な役割を果たす多数の用途のために使用され、提案されている。このような用途の例は、潤滑油としておよび分離プロセス、特に蒸留分離プロセスにおける使用である。イオン液体は、しばしば不十分な濡れおよび拡散挙動を有し、したがって、卓越した特性プロフィールにもかかわらず、この欠陥のために適さないことがわかっている。
【発明の概要】
【発明が解決しようとする課題】
【０００３】
目的の記述
したがって、イオン液体の濡れおよび拡散挙動を効果的に制御して、固体表面を濡らさなければならない用途に広く永続的に使用できるようにすることが本発明の目的である。液体の適当な濡れ性は、この用途における機能を本質的に改善し得る。
【０００４】
界面活性により表面の濡れ（洗浄プロセス中に一般に行われる一時的な濡れ）を促進する洗浄剤と対照的に、拡散は、洗浄に関しては必ずしも利点ではない。
【０００５】
さらに、洗浄用途においては、洗浄される表面と短時間の接触しか生じないが、本発明の用途の場合、表面上の永続的または周期的に繰り返す一定の使用が生ずる。例えば、ギヤボックスで使用される場合、ギヤボックスが使用される時間の少なくとも９５％の間、イオン液体による濡れは起こり、逆に、例えば、流下膜蒸留プロセス（falling film distillation process）における熱交換表面がイオン液体の薄層で繰り返し濡れ、これがイオン液体の拡散作用をもたらし、本発明の有利な効果に寄与する場合に、周期的使用が確保される。
【０００６】
このことは、短時間の洗い流しの適用は本発明には関係がないが、代わりに非常に長期にわたる濡れたままの適用が望ましいことを示している。全体として、表面は、イオン液体によって常にまたは少なくとも大部分濡れて、濡れたままになっていなければならず、表面張力は、洗浄用途におけるように短時間に減少されてはならない。
【０００７】
本発明の対象ではない洗浄用途においては、水または溶媒の濃度もイオン液体への添加において一般的に重要である。
【０００８】
しかし、本発明の場合、イオン液体自体は、非常に高濃度で存在し、機能添加剤（performance additive）によりその機能、例えば、潤滑について最適化されなければならない。
【課題を解決するための手段】
【０００９】
本発明の組成物は、５０から９９．９９９重量％、好ましくは８０から９９．９９９重量％、特には少なくとも９５重量％、特に好ましくは＞９８から９９．９９９重量％の１種以上のイオン液体と、
０から２０重量％、好ましくは０から１０重量％、特に好ましくは０から５重量％の溶媒と、
０から２０重量％、好ましくは０から１０重量％、特に好ましくは０から５重量％の助剤および添加剤と、
０．００１から１０重量％、好ましくは０．００１から５重量％、特に好ましくは０．０５から１重量％の１種以上の本発明の機能添加剤とを含み、
ここで、組成物の全ての成分の合計は１００重量％である。
【００１０】
本発明の機能添加剤の場合、高い拡散性が良好な濡れ性と関連している場合は有利である。本発明によるものではない高い濡れ性を必要とするが良好な拡散性を追加で提供しない洗浄剤とは対照的に、このことは再度強調されてもよい。潤滑剤として使用される純粋なイオン液体の場合、潤滑されるべき表面上の膜形成は極めて重要である。拡散性も非常に高い場合、表面の濡れは非常に薄い膜の形成と一緒に起こる。このことは、必要な湿潤剤（wetting agent）および展着剤の濃度を減少させることができ、コストを節約することができる。蒸留分離プロセスの場合においても、蒸発器表面上で蒸留される材料の濡れ性および拡散性は極めて重要である。濡れ性／拡散性が改善されれば、蒸発器表面上の液膜はより薄くなり、処理能力を増加し得る。
【００１１】
イオン液体は、一般に、低温（＜１００℃）で溶融する塩であり、イオンのみからなる新しい種類の液体を表す。高融点、高粘性、かつ腐食性の媒体である古典的な塩溶融物と対照的に、イオン液体は、低温においてさえ液体であり、比較的低い粘性を有する（K.R. Seddon J. Chem. Technol. Biotechnol. 1997, 68, 351-356）。
【００１２】
驚くべきことに、以前はもっぱら水溶液系で使用されてきた添加剤が上記目的を達成することが見いだされた。
【発明を実施するための形態】
【００１３】
本発明の目的のためには、イオン液体は、一般式Ｉ、ＩＩまたはＩＩＩの塩：
［Ａ］ｎ＋［Ｙ］ｎ−    （Ｉ）
（式中、ｎは、１、２、３もしくは４であり、［Ａ］＋は、第４級アンモニウムカチオン、オキソニウムカチオン、スルホニウムカチオンもしくはホスホニウムカチオンであり、［Ｙ］ｎ−は、１価、２価、３価もしくは４価アニオンである）；または
一般式（ＩＩ）の混合塩
［Ａ１］＋［Ａ２］＋［Ｙ］２−                    （ＩＩａ）；
［Ａ１］＋［Ａ２］＋［Ａ３］＋［Ｙ］３−            （ＩＩｂ）；もしくは
［Ａ１］＋［Ａ２］＋［Ａ３］＋［Ａ４］＋［Ｙ］４−    （ＩＩｃ）、
（式中、［Ａ１］＋、［Ａ２］＋、［Ａ３］＋および［Ａ４］＋は、［Ａ］＋について記載された群のうちから独立して選択され、［Ｙ］ｎ−は、式（Ｉ）について定義されたとおりである）；または
一般式（ＩＩＩ）の混合塩
［Ａ１］＋［Ａ２］＋［Ａ３］＋［Ｍ１］＋［Ｙ］４−    （ＩＩＩａ）；
［Ａ１］＋［Ａ２］＋［Ｍ１］＋［Ｍ２］＋［Ｙ］４−    （ＩＩＩｂ）；
［Ａ１］＋［Ｍ１］＋［Ｍ２］＋［Ｍ３］＋［Ｙ］４−    （ＩＩＩｃ）；
［Ａ１］＋［Ａ２］＋［Ｍ１］＋［Ｙ］３−            （ＩＩＩｄ）；
［Ａ１］＋［Ｍ１］＋［Ｍ２］＋［Ｙ］３−            （ＩＩＩｅ）；
［Ａ１］＋［Ｍ１］＋［Ｙ］２−                     （ＩＩＩｆ）；
［Ａ１］＋［Ａ２］＋［Ｍ４］２＋［Ｙ］４−           （ＩＩＩｇ）；
［Ａ１］＋［Ｍ１］＋［Ｍ４］２＋［Ｙ］４−           （ＩＩＩｈ）；
［Ａ１］＋［Ｍ５］３＋［Ｙ］４−                   （ＩＩＩｉ）；または
［Ａ１］＋［Ｍ４］２＋［Ｙ］３−                          （ＩＩＩｊ）
（式中、［Ａ１］＋、［Ａ２］＋および［Ａ３］＋は、［Ａ］＋について記載された群のうちから独立して選択され、［Ｙ］ｎ−は、式（Ｉ）について定義されたとおりであり、［Ｍ１］＋、［Ｍ２］＋、［Ｍ３］＋は、１価金属カチオンであり、［Ｍ４］２＋は、２価金属カチオンであり、［Ｍ５］３＋は、３価金属カチオンである）；
または全ての式（Ｉ）から（ＩＩＩ）の混合物の塩である。
【００１４】
イオン液体は、例えば、置換アンモニウム、ホスホニウム、ピリジニウムまたはイミダゾリウムカチオンなどと組み合わされた、ハロゲン化物、カルボキシレート、ホスフェート、チオシアネート、イソチオシアネート、ジシアナミド、スルフェート、アルキルスルフェート、スルホネート、アルキルスルホネート、テトラフルオロボレート、ヘキサフルオロホスフェートまたはビス（トリフルオロメチルスルホニル）イミドなどのアニオンを含み、上述のアニオンおよびカチオンは、多数の可能なアニオンおよびカチオンからの少数の選択を表し、したがって完全なものを記載するものではなく、何らの制限も課せられない。
【００１５】
本発明によって使用されるイオン液体は、好ましくは、少なくとも１種の第４級窒素および／またはリン化合物および／または硫黄化合物および少なくとも１種のアニオンからなり、それらの融点は、約＋２５０℃未満、好ましくは約＋１５０℃未満、特には約＋１００℃未満である。本発明によって使用されるイオン液体またはそれらの混合物は、特に好ましくは室温で液体である。
【００１６】
本発明の目的に使用されるのが好ましいイオン液体は、例えば、一般式： 
Ｒ１Ｒ２Ｒ３Ｒ４Ｎ＋            （ＩＶ）
Ｒ１Ｒ２Ｎ＋＝ＣＲ３Ｒ４        （Ｖ）
Ｒ１Ｒ２Ｒ３Ｒ４Ｐ＋            （ＶＩ）
Ｒ１Ｒ２Ｐ＋＝ＣＲ３Ｒ４        （ＶＩＩ）
Ｒ１Ｒ２Ｒ３Ｓ＋                （ＶＩＩＩ）
の少なくとも１種のカチオンからなり得る
（式中、
Ｒ１、Ｒ２、Ｒ３、Ｒ４は、同じであるか異なり、各々、水素、１から３０個の炭素原子を有し、二重結合を含有してもよい直鎖または分枝脂肪族炭化水素基、５から４０個の炭素原子を有し、二重結合を含有してもよい脂環式炭化水素基、６から４０個の炭素原子を有する芳香族炭化水素基、７から４０個の炭素原子を有するアルキルアリール基、２から３０個の炭素原子を有し、１個以上のヘテロ原子（酸素、ＮＨ、ＮＲ`、ここで、Ｒ`は、二重結合を含有してもよいＣ１〜Ｃ３０−アルキル基、特に−ＣＨ３である）によって介入され、二重結合を含有してもよい直鎖または分枝脂肪族炭化水素基、２から３０個の炭素原子を有し、−Ｏ−Ｃ（Ｏ）−、−（Ｏ）Ｃ−Ｏ−、−ＮＨ−Ｃ（Ｏ）−、−（Ｏ）Ｃ−ＮＨ、−（ＣＨ３）Ｎ−Ｃ（Ｏ）−、−（Ｏ）Ｃ−Ｎ（ＣＨ３）−、−Ｓ（Ｏ２）−Ｏ−、−Ｏ−Ｓ（Ｏ２）−、−Ｓ（Ｏ２）−ＮＨ−、−ＮＨ−Ｓ（Ｏ２）−、−Ｓ（Ｏ２）−Ｎ（ＣＨ３）−、−Ｎ（ＣＨ３）−Ｓ（Ｏ２）−からなる群から選択される１つ以上の官能基によって介入され、二重結合を含有してもよい直鎖または分枝脂肪族炭化水素基、１から３０個の炭素原子を有し、ＯＨ、ＯＲ`、ＮＨ２、Ｎ（Ｈ）Ｒ`、Ｎ（Ｒ`）２（ここで、Ｒ`は、二重結合を含有してもよいＣ１〜Ｃ３０−アルキル基である）によって末端が官能化され、二重結合または式−（Ｒ５−Ｏ）ｎ−Ｒ６のブロックまたはランダム構造を有するポリエステルを含有してもよい直鎖または分枝脂肪族または脂環式炭化水素基であり、
ここで、
Ｒ５は、２から４個の炭素原子を有する直鎖または分枝炭化水素基であり、
ｎは、１から１００、好ましくは２から６０であり、
Ｒ６は、水素、１から３０個の炭素原子を有し、二重結合を含有してもよい直鎖または分枝脂肪族炭化水素基、５から４０個の炭素原子を有し、二重結合を含有してもよい脂環式炭化水素基、６から４０個の炭素原子を有する芳香族炭化水素基、７から４０個の炭素原子を有するアルキルアリール基または−Ｃ（Ｏ）−Ｒ７基であり、ここで、
Ｒ７は、１から３０個の炭素原子を有し、二重結合を含有してもよい直鎖または分枝脂肪族炭化水素基、５から４０個の炭素原子を有し、二重結合を含有してもよい脂環式炭化水素基、６から４０個の炭素原子を有する芳香族炭化水素基、７から４０個の炭素原子を有するアルキルアリール基である）。
【００１７】
Ｒ１Ｒ２Ｒ３Ｒ４Ｎ＋Ａ−（ＩＶ）のタイプの一般式によって特徴付けられるアルキル化脂肪酸の第４級アンモニウム塩（アルカノールアミンエステルクアットとも呼ばれる）が好ましく、ここで、Ｒ１は、１から２０個の炭素原子を有するアルキル基であり、Ｒ２は、１から４個の炭素原子を有するアルキル基であり、Ｒ３は、（ＣＨ２ＣＨＲＯ）ｎ−Ｈ基（ここで、ｎは、１から２００であり、Ｒは、ＨまたはＣＨ３である）であり、Ｒ４は、１から４個の炭素原子を有するアルキル基または（ＣＨ２ＣＨＲＯ）ｎ−Ｈ基（ここで、ｎは、１から２００であり、Ｒは、ＨまたはＣＨ３である）であり、Ａ−は、１価アニオンである。
【００１８】
これらの化合物のうちでは、次式
（ＩＸ）Ｒ６４−ｍＮ＋［（（ＣＨ２）ｎ−Ｑ−Ｒ７］ｍＸ−
の物質が好ましい
（式中：各々の基Ｒ６は、独立して、１から６個の炭素原子を有するアルキル基またはヒドロキシアルキル基、またはベンジル基、好ましくはメチル基であり；基Ｒ７は、各々、互いに独立して、水素、１１から２２個の炭素原子を有する直鎖または分枝アルキル基、１１から２２個の炭素原子を有する直鎖または分枝アルケニル基であり、但し、少なくとも１つの基Ｒ７は、水素ではなく；
Ｑは、−Ｏ−ＣＯ）−、−Ｃ（Ｏ）Ｏ、−ＮＲ８−Ｃ（Ｏ）−、−Ｃ（Ｏ）−ＮＲ８−、−Ｏ−Ｃ（Ｏ）−Ｏ、−ＣＨＲ９−Ｏ−Ｃ（Ｏ）−または−ＣＨ（ＯＣＯＲ７）−ＣＨ２−Ｏ−Ｃ（Ｏ）−の式の群のうちから独立して選択され、ここで、Ｒ８は、水素、メチル、エチル、プロピルまたはブチルであり、Ｒ９は、水素またはメチルであり、Ｑは、好ましくは−Ｏ−Ｃ（Ｏ）−または−ＮＨ−Ｃ（Ｏ）−であり、ｍは、１から４、好ましくは２または３であり、ｎは、１から４、好ましくは２であり；Ｘは、可塑剤に相溶性のアニオン、例えばクロリド、ブロミド、メチルスルフェート、エチルスルフェート、スルフェートまたはナイトレート、好ましくはクロリドまたはメチルスルフェートである）。第４級アンモニウム化合物は、その値が１からｍにわたる、水素ではない異なる基Ｒ７を有する化合物の混合物を含有してもよい。このような混合物は、好ましくは、水素ではない、平均１．２から２．５個の基Ｒ７を有する。水素ではない基Ｒ７の割合は、好ましくは１．４から２．０、より好ましくは１．６から１．９である。
【００１９】
好ましい第４級アンモニウム化合物は、次のタイプ： 
（Ｘ）      Ｒ６Ｎ＋［ＣＨ２ＣＨＲ９ＯＨ−］［ＣＨ２ＣＨＲ９ＯＣ（Ｏ）Ｒ７］２Ｘ−
（ＸＩ）    Ｒ６Ｎ＋［ＣＨ２ＣＨＲ９ＯＣ（Ｏ）Ｒ７］２Ｘ−
（ＸＩＩ）  Ｒ６Ｎ＋［ＣＨ２ＣＨＲ９ＯＨ−］［ＣＨ２ＣＨ２ＮＨＣ（Ｏ）Ｒ７］２Ｘ−の化合物である（式中、Ｒ６、Ｒ７およびＸは、式（ｉ）について上記に定義されたとおりであり、但し、Ｒ７は水素ではない）。
【００２０】
部分−Ｃ（Ｏ）Ｒ７は、好ましくは、脂肪含有アシル基である。使用し得る脂肪含有アシル基は、トリグリセリドの天然源、好ましくは、獣脂、植物油、部分水素化獣脂および部分水素化植物油から誘導される。使用し得るトリグリセリドの供給源は、大豆油、獣脂、部分水素化獣脂、ヤシ油、パーム核油、菜種、ラード、ココナツ、セイヨウアブラナ、ベニバナ油、トウモロコシ、米およびトール油ならびにこれらの成分の混合物である。
【００２１】
当業者なら、脂肪酸含有化合物の組成は、収穫から収穫までの間の状態または多数の植物油供給源に依存して、いくつかの自然の変動の影響を受けることがわかるであろう。基Ｒ７は、通常、飽和および不飽和脂肪族脂肪酸の直鎖および分枝の炭素鎖の混合物である。
【００２２】
このような混合物中の不飽和基Ｒ７の割合は、好ましくは、少なくとも１０％、特に好ましくは、少なくとも２５％、非常に特に好ましくは、４０から７０％である。このような混合物中の多不飽和基Ｒ７の割合は、１０％未満、好ましくは、５％未満、特に好ましくは、３％未満である。必要ならば、飽和特性を増大させて最終生成物の安定性（例えば、臭気、色など）を改善するために、部分水素化を行ってもよい。ヨウ素価で表される不飽和物質の含有量は、５から１５０の範囲であるべきで、好ましくは、５から５０の範囲である。不飽和基Ｒ７中の二重結合のシスおよびトランス異性体の比は、好ましくは、１：１よりも大きく、特に好ましくは、４：１から５０：１の範囲である。
【００２３】
式（ＩＸ）の化合物の好ましい例は：
Ｎ，Ｎ−ジ（タローイルオキシエチル）−Ｎ，Ｎ−ジメチルアンモニウムクロリド（N,N-di(tallowyloxyethyl)-N,N-dimethylammonium chroride）；
Ｎ，Ｎ−ジ（カノリルオキシエチル）−Ｎ，Ｎ−ジメチルアンモニウムクロリド（N,N-di(canolyloxyethyl)-N,N-dimethylammonium chroride）；
Ｎ，Ｎ−ジ（タローイルオキシエチル）−Ｎ−メチル，Ｎ−（２−ヒドロキシエチル）アンモニウムメチルスルフェート；
Ｎ，Ｎ−ジ（カノリルオキシエチル）−Ｎ−メチル，Ｎ−（２−ヒドロキシエチル）アンモニウムメチルスルフェート；
Ｎ，Ｎ−ジ（タローイルアミドエチル）−Ｎ−メチル，Ｎ−（２−ヒドロキシエチル）アンモニウムメチルスルフェート；
Ｎ，Ｎ−ジ（２−タローイルオキシ−２−オキソエチル）−Ｎ，Ｎ−ジメチルアンモニウムクロリド；
Ｎ，Ｎ−ジ（２−カノリルオキシ−２−オキソエチル）−Ｎ，Ｎ−ジメチルアンモニウムクロリド；
Ｎ，Ｎ−ジ（２−タローイルオキシエチルカルボニルオキシエチル）−Ｎ，Ｎ−ジメチルアンモニウムクロリド；
Ｎ，Ｎ−ジ（２−カノリルオキシエチルカルボニルオキシエチル）−Ｎ，Ｎ−ジメチルアンモニウムクロリド；
Ｎ（２−タローイルオキシ−２−エチル）−Ｎ−（２−タローイルオキシ−２−オキソエチル）−Ｎ，Ｎ−ジメチルアンモニウムクロリド；
Ｎ（２−カノリルオキシ−２−エチル）−Ｎ（２−カノリルオキシ−２−オキソエチル）−Ｎ，Ｎ−ジメチルアンモニウムクロリド；
Ｎ，Ｎ，Ｎ−トリ（タローイルオキシエチル）−Ｎ−メチルアンモニウムクロリド；
Ｎ，Ｎ，Ｎ−トリ（カノリルオキシエチル）−Ｎ−メチルアンモニウムクロリド；
１，２−ジタローイルオキシ−３−Ｎ，Ｎ，Ｎ−トリメチルアンモニオプロピルクロリド；および
１，２−ジカノリルオキシ−３−Ｎ，Ｎ，Ｎ−トリメチルアンモニオプロピルクロリドである。
【００２４】
さらに好ましい第４級アンモニウム塩は、ジタロージメチルアンモニウムクロリド、ジタロージメチルアンモニウムメチルスルフェート、ジ（水素化獣脂）ジメチルアンモニウムクロリド、ジステアリルジメチルアンモニウムクロリドおよびジベヘニルジメチルアンモニウムクロリドである。
【００２５】
さらなる可能なカチオンは、置換されてもよい４から１０員、好ましくは５または６員の複素環中に３価窒素原子を各々の場合において有する、飽和または不飽和環式化合物または芳香族化合物から誘導されるイオンである。このようなカチオンは、一般式（ＸＩＩＩ）、（ＸＩＶ）および（ＸＶ）（ここで、複素環は、適切な場合、複数のヘテロ原子を含有してもよい）による単純化された形（すなわち、分子中の二重結合の正確な位置および数の表示がない）で記載することができる。
【化１】
2009185287.tif 000002
【００２６】
ここで、Ｒ１およびＲ２は、上記に定義されたとおりであり、
Ｒは、水素原子、１から３０個の炭素原子を有し、二重結合を含有してもよい直鎖または分枝脂肪族炭化水素基、５から４０個の炭素原子を有し、二重結合を含有してもよい脂環式炭化水素基、６から４０個の炭素原子を有する芳香族炭化水素基または７から４０個の炭素原子を有するアルキルアリール基である。Ｘは、酸素原子、硫黄原子または置換窒素原子である（Ｘ＝Ｏ、Ｓ、ＮＲ１）。
【００２７】
上述のタイプの環状窒素化合物の例は、ピロリジン、ジヒドロピロール、ピロール、イミダゾリン、オキサゾリン、オキサゾール、チアゾリン、チアゾール、イソオキサゾール、イソチアゾール、インドール、カルバゾール、ピペリジン、ピリジン、ピコリンの異性体およびルチジンの異性体、キノリンおよびイソキノリンである。一般式（ＸＩＩＩ）、（ＸＩＶ）および（ＸＶ）の環状窒素化合物は、非置換であってもよく（Ｒ＝Ｈ）、または基Ｒで一置換または多置換されていてよく、ここで、Ｒによる多置換の場合、個々の基Ｒは、異なっていてよい。
【００２８】
さらなる可能なカチオンは、飽和非環式、飽和もしくは不飽和環式化合物から、または各々の場合において４から１０員、好ましくは５もしくは６員の複素環中に２個以上の３価窒素原子を有する、芳香族化合物から誘導されるイオンである。これらの化合物は、炭素原子上または窒素原子上のいずれかで置換されてもよい。それらは、置換または非置換ベンゼン環および／またはシクロヘキサン環と縮合して多環構造を形成することもできる。このような化合物の例は、ピラゾール、３，５−ジメチルピラゾール、イミダゾール、ベンズイミダゾール、Ｎ−メチルイミダゾール、ジヒドロピラゾール、ピラゾリジン、ピリダジン、ピリミジン、ピラジン、２，３−、２，５−および２，６−ジメチルピラジン、シンノリン、フタラジン、キナゾリン、フェナジンおよびピペラジンである。イミダゾールおよびそのアルキルおよびフェニル誘導体から誘導されるカチオンは、イオン液体の成分として特に有用であることが見いだされた。
【００２９】
可能なカチオンは、２個の窒素原子を含有し、一般式（ＸＶＩ）
【化２】
2009185287.tif 000003
で表されるイオンも含む
（式中、
Ｒ８、Ｒ９、Ｒ１０、Ｒ１１、Ｒ１２は、同じであるか異なり、各々、水素、１から３０個の炭素原子を有し、二重結合を含有してもよい、直鎖または分枝脂肪族炭化水素基、５から４０個の炭素原子を有し、二重結合を含有してもよい脂環式炭化水素基、６から４０個の炭素原子を有する芳香族炭化水素基、７から４０個の炭素原子を有するアルキルアリール基、１から３０個の炭素原子を有し、１個以上のヘテロ原子（酸素、ＮＨ、ＮＲ｀、ここで、Ｒ｀は、二重結合を含有してもよいＣ１〜Ｃ３０−アルキル基である）によって介入され、二重結合を含有してもよい直鎖または分枝脂肪族炭化水素基、１から３０個の炭素原子を有し、−Ｏ−Ｃ（Ｏ）−、−（Ｏ）Ｃ−Ｏ−、−ＮＨ−Ｃ（Ｏ）−、−（Ｏ）Ｃ−ＮＨ、−（ＣＨ３）Ｎ−Ｃ（Ｏ）−、−（Ｏ）Ｃ−Ｎ（ＣＨ３）−、−Ｓ（Ｏ２）−Ｏ−、−Ｏ−Ｓ（Ｏ２）−、−Ｓ（Ｏ２）−ＮＨ−、−ＮＨ−Ｓ（Ｏ２）−、−Ｓ（Ｏ２）−Ｎ（ＣＨ３）−、−Ｎ（ＣＨ３）−Ｓ（Ｏ２）−からなる群から選択される１種以上の官能基によって介入され、二重結合を含有してもよい直鎖または分枝脂肪族炭化水素基、１から３０個の炭素原子を有し、ＯＨ、ＯＲ｀、ＮＨ２、Ｎ（Ｈ）Ｒ｀、Ｎ（Ｒ｀）２（ここで、Ｒ｀は、二重結合を含有してもよいＣ１〜Ｃ３０−アルキル基である）で末端が官能化され、二重結合を含有してもよい直鎖または分枝脂肪族または脂環式炭化水素基または式−（Ｒ５−Ｏ）ｎ−Ｒ６に相当するブロックまたはランダム構造を有するポリエーテルであり、
ここで、
Ｒ５は、２から４個の炭素原子を含有する炭化水素基であり、
ｎは、１から１００であり、
Ｒ６は、水素、１から３０個の炭素原子を有し、二重結合を含有してもよい直鎖または分枝脂肪族炭化水素基、５から４０個の炭素原子を有し、二重結合を含有してもよい脂環式炭化水素基、６から４０個の炭素原子を有する芳香族炭化水素基、７から４０個の炭素原子を有するアルキルアリール基または−Ｃ（Ｏ）−Ｒ７基であり、ここで、
Ｒ７は、１から３０個の炭素原子を有し、二重結合を含有してもよい直鎖または分枝脂肪族炭化水素基、５から４０個の炭素原子を有し、二重結合を含有してもよい脂環式炭化水素基、６から４０個の炭素原子を有する芳香族炭化水素基、７から４０個の炭素原子を有するアルキルアリール基である）。
【００３０】
非常に特に好ましいイミダゾリウムイオン（ＸＩＩ）としては、１−メチルイミダゾリウム、１−エチルイミダゾリウム、１−（１−ブチル）イミダゾリウム、１−（１−オクチル）イミダゾリウム、１−（１−ドデシル）イミダゾリウム、１−（１−テトラデシル）イミダゾリウム、１−（１−ヘキサデシル）イミダゾリウム、１，３−ジメチルイミダゾリウム、１−エチル−３−メチルイミダゾリウム、１−（１−ブチル）３−メチルイミダゾリウム、１−（１−ブチル）−３−エチル−イミダゾリウム、１−（１−ヘキシル）−３−メチルイミダゾリウム、１−（１−ヘキシル）−３−エチルイミダゾリウム、１−（１−ヘキシル）−３−ブチル−イミダゾリウム、１−（１−オクチル）−３−メチルイミダゾリウム、１−（１−オクチル）−３−エチルイミダゾリウム、１−（１−オクチル）−３−ブチルイミ−ダゾリウム、１−（１−ドデシル）−３−メチルイミダゾリウム、１−（１−ド−デシル）−３−エチルイミダゾリウム、１−（１−ドデシル）−３−ブチルイミダゾリウム、１−（１−ドデシル）−３−オクチルイミダゾリウム、１−（１−テトラデシル）−３−メチルイミダゾリウム、１−（１−テトラデシル）−３−エチルイミダゾリウム、１−（１−テトラデシル）−３−ブチルイミダゾリウム、１−（１−テトラデシル）−３−オクチルイミダゾリウム、１−（１−ヘキサデシル）−３−メチルイミダゾリウム、１−（１−ヘキサデシル）−３−エチルイミダゾリウム、１−（１−ヘキサデシル）−３−ブチルイミダゾリウム、１−（１−ヘキサデシル）−３−オクチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチルイミダゾリウム、１−（１−ヘキシル）−２，３−ジ−メチルイミダゾリウム、１−（１−オクチル）−２，３−ジメチルイミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチル−イミダゾリウム、１，４，５−トリメチル−３−ブチルイミダゾリウムおよび１，４，５−トリメチル−３−オクチルイミダゾリウムを挙げることができる。
【００３１】
さらなる可能なカチオンは、特に、二量化、三量化またはポリマー化によって形成されるジカチオン、トリカチオンまたはポリカチオンの形態の上述のカチオンからなるイオンである。これらには、ジカチオン、トリカチオン、およびポリマー骨格、例えば、シロキサン、ポリエーテル、ポリエステル、ポリアミドまたはポリアクリレート、特に、分岐および超分岐ポリマーに基づく骨格を有するポリカチオンも含まれる。
【００３２】
さらなる可能なイオン液体は、カチオン［Ａ］＋が、ピリジニウムイオン（ＸＶＩＩａ）
【化３】
2009185287.tif 000004
であるイオン液体である
（式中、
・基Ｒ１からＲ５の１つは、メチル、エチルもしくは塩素であり、残りの基Ｒ１からＲ５は、各々、水素であり；
・Ｒ３は、ジメチルアミノであり、残りの基Ｒ１、Ｒ２、Ｒ４およびＲ５は、各々、水素であり；
・全てのＲ１からＲ５は、水素であり；
・Ｒ２は、カルボキシもしくはカルボキサミドであり、残りの基Ｒ１、Ｒ２、Ｒ４およびＲ５は、各々、水素であり；または
・Ｒ１およびＲ２もしくはＲ２およびＲ３は、１，４−ブタ−１，３−ジエニレンであり、残りの基Ｒ１、Ｒ２、Ｒ４およびＲ５は、各々、水素である
イオン液体であり；
特に、
・Ｒ１からＲ５は、各々、水素であり；または
・基Ｒ１からＲ５の１つは、メチルもしくはエチルであり、残りの基Ｒ１からＲ５は、各々、水素である）。
【００３３】
非常に特に好ましいピリジニウムイオン（ＸＶＩＩａ）としては、１−メチルピリジニウム、１−エチルピリジニウム、１−（１−ブチル）ピリジニウム、１−（１−ヘキシル）ピリジニウム、１−（１−オクチル）ピリジニウム、１−（１−ヘキシル）ピリジニウム、１−（１−オクチル）ピリジニウム、１−（１−ドデシル）ピリジニウム、１−（１−テトラデシル）ピリジニウム、１−（１−ヘキサデシル）ピリジニウム、１，２−ジメチルピリジニウム、１−エチル−２−メチルピリジニウム、１−（１−ブチル）−２−メチルピリジニウム、１−（１−ヘキシル）−２−メチルピリジニウム、１−（１−オクチル）−２−メチル−ピリジニウム、１−（１−ドデシル）−２−メチルピリジニウム、１−（１−テトラ−デシル）−２−メチルピリジニウム、１−（１−ヘキサデシル）−２−メチル−ピリジニウム、１−メチル−２−エチルピリジニウム、１，２−ジエチル−ピリジニウム、１−（１−ブチル）−２−エチルピリジニウム、１−（１−ヘキシル）−２−エチルピリジニウム、１−（１−オクチル）−２−エチルピリジニウム、１−（１−ドデシル）−２−エチルピリジニウム、１−（１−テトラデシル）−２−エチル−ピリジニウム、１−（１−ヘキサデシル）−２−エチルピリジニウム、１，２−ジ−メチル−５−エチルピリジニウム、１，５−ジエチル−２−メチルピリジニウム、１−（１−ブチル）−２−メチル−３−エチルピリジニウム、１−（１−ヘキシル）−２−メチル−３−エチルピリジニウムおよび１−（１−オクチル）−２−メチル−３−エチルピリジニウム、１−（１−ドデシル）−２−メチル−３−エチル−ピリジニウム、１−（１−テトラデシル）−２−メチル−３−エチルピリジニウムおよび１−（１−ヘキサデシル）−２−メチル−３−エチルピリジニウムを挙げることができる。
【００３４】
さらなる可能なイオン液体は、カチオン［Ａ］＋が、ピリダジニウムイオン（ＸＶＩＩｂ）
【化４】
2009185287.tif 000005
であるイオン液体である
（式中、
・Ｒ１からＲ４は、各々、水素であり；または
・基Ｒ１からＲ４の１つは、メチルもしくはエチルであり、残りの基Ｒ１からＲ４は、各々、水素である）。
【００３５】
さらに、非常に特に好ましいのは、カチオン［Ａ］＋が、ピリミジウムイオン（ＸＶＩＩｃ）
【化５】
2009185287.tif 000006
であるイオン液体である
（式中、
・Ｒ１は、水素、メチルもしくはエチルであり、Ｒ２からＲ４は、各々、互いに独立して、水素またはメチルであり；または
・Ｒ１は、水素、メチルもしくはエチルであり、Ｒ２およびＲ４は、各々、メチルであり、Ｒ３は、水素である）。
【００３６】
さらなる可能なイオン液体は、カチオン［Ａ］＋が、ピラジニウムイオン（ＸＶＩＩｄ）
【化６】
2009185287.tif 000007
であるイオン液体である
（式中、
・Ｒ１は、水素、メチルもしくはエチルであり、Ｒ２からＲ４は、各々、互いに独立して、水素もしくはメチルであり；
・Ｒ１は、水素、メチルもしくはエチルであり、Ｒ２およびＲ４は、メチルであり、Ｒ３は、水素であり；
・Ｒ１からＲ４は、それぞれメチルであり；または
・Ｒ１からＲ４は、それぞれメチルもしくは水素である）。
【００３７】
さらなる可能なイオン液体は、カチオン［Ａ］＋が、ピラゾリウムイオン（ＸＶＩＩｆ）、（ＸＶＩＩｇ）または（ＸＶＩＩｇ’）
【化７】
2009185287.tif 000008
であるイオン液体である
（式中、
・Ｒ１は、水素、メチルまたはエチルであり、Ｒ２からＲ４は、各々、互いに独立して、水素またはメチルである）。
【００３８】
可能なイオン液体は、さらに、カチオン［Ａ］＋が、ピラゾリウムイオン（ＸＶＩＩｈ）
【化８】
2009185287.tif 000009
であるイオン液体である
（式中、
・Ｒ１からＲ４は、各々、互いに独立して、水素またはメチルである）。
【００３９】
適切なイオン液体は、カチオン［Ａ］＋が、１−ピラゾリニウムイオン（ＸＶＩＩｉ）
【化９】
2009185287.tif 000010
であるイオン液体も含む
（式中、
・Ｒ１からＲ６は、各々、互いに独立して、水素またはメチルである）。
【００４０】
さらなる可能なイオン液体は、カチオン［Ａ］＋が、２−ピラゾリニウムイオン（ＸＶＩＩｊ）
【化１０】
2009185287.tif 000011
であるイオン液体である
（式中、
・Ｒ１は、水素、メチル、エチルまたはフェニルであり、Ｒ２からＲ６は、各々、互いに独立して、水素またはメチルである）。
【００４１】
カチオン［Ａ］＋が、３−ピラゾリニウムイオン（ＸＶＩＩｋ）または（ＸＶＩＩｋ’）
【化１１】
2009185287.tif 000012
であるイオン液体を使用することも可能である
（式中、
・Ｒ１およびＲ２は、各々、互いに独立して、水素、メチル、エチルまたはフェニルであり、Ｒ３からＲ６は、各々、互いに独立して、水素またはメチルである）。
【００４２】
さらなる可能なイオン液体は、カチオン［Ａ］＋が、イミダゾリニウムイオン（ＸＶＩＩｌ）
【化１２】
2009185287.tif 000013
であるイオン液体である
（式中、
・Ｒは、Ｈまたはメチルであり、Ｒ１およびＲ２は、各々、互いに独立して、水素、メチルまたはエチルまたは１４から２２個、好ましくは１６から１８個の炭素原子を有する直鎖飽和または不飽和アシル基であり、Ｒ３からＲ６は、各々、互いに独立して、水素、１〜４個の炭素原子を有し、ＯＨ基を含有してもよい直鎖飽和アルキル基、好ましくはメチル、または脂肪酸基であり；非常に特に好ましくは、Ｒ１およびＲ２が、脂肪酸基であり、ＲまたはＲ２およびＲ３が脂肪酸基である）。式（ＸＶＩＩｍ）に相当するこれらの物質は、特に重要である。文献中、これらには時々、紛らわしい式（式ＸＶＩＩｍ’またはＸＶＩＩｌに類似している）も与えられる。
【００４３】
さらなる可能なイオン液体は、カチオン［Ａ］＋が、イミダゾリニウムイオン（ＸＶＩＩｍ）または（ＸＶＩＩｍ’）
【化１３】
2009185287.tif 000014
であるイオン液体である
（式中、
・Ｒは、Ｈまたはメチルであり、Ｒ１およびＲ２は、各々、互いに独立して、水素、メチルまたはエチルまたは１４から２２個、好ましくは１６から１８個の炭素原子を有する直鎖飽和または不飽和アシル基であり、Ｒ３からＲ６は、各々、互いに独立して、水素、１〜４個の炭素原子を有し、ＯＨ基を含有してもよい直鎖飽和アルキル基、好ましくはメチル、または脂肪酸基であり；非常に特に好ましくは、Ｒ１およびＲ２が、脂肪酸基であり、ＲまたはＲ２およびＲ３が脂肪酸基である）。式（ＸＩＩＩｍ）に相当するこれらの物質は、特に重要である。文献中、これらには時々、紛らわしい式（式ＸＩＩＩｍ’またはＸＩＩＩｌに類似している）も与えられる。
【００４４】
さらなる可能なイオン液体は、カチオン［Ａ］＋が、イミダゾリニウムイオン（ＸＶＩＩｎ）または（ＸＶＩＩｎ’）
【化１４】
2009185287.tif 000015
であるイオン液体である
（式中、
・Ｒ１からＲ３は、各々、互いに独立して、水素、メチルまたはエチルであり、Ｒ４からＲ６は、各々、互いに独立して、水素またはメチルである）。
【００４５】
さらなる可能なイオン液体は、カチオン［Ａ］＋が、チアゾリウムイオン（ＸＶＩＩｏ）もしくは（ＸＶＩＩｏ’）またはオキサゾリウムイオン（ＸＶＩＩｐ）
【化１５】
2009185287.tif 000016
であるイオン液体である
（式中、
・Ｒ１は、水素、メチル、エチルまたはフェニルであり、Ｒ２およびＲ３は、各々、互いに独立して、水素またはメチルである）。
【００４６】
可能なイオン液体は、カチオン［Ａ］＋が、１，２，４−トリアゾリウムイオン（ＸＶＩＩｑ）、（ＸＶＩＩｑ’）または（ＸＶＩＩｑ”）
【化１６】
2009185287.tif 000017
であるイオン液体も含む
（式中、
・Ｒ１およびＲ２は、各々、互いに独立して、水素、メチル、エチルまたはフェニルであり、Ｒ３は、水素、メチルまたはフェニルである）。
【００４７】
さらなる可能なイオン液体は、カチオン［Ａ］＋が、１，２，３−トリアゾリウムイオン（ＸＶＩＩｒ）、（ＸＶＩＩｒ’）または（ＸＶＩＩｒ”）
【化１７】
2009185287.tif 000018
であるイオン液体である
（ここで、Ｒ１は、水素、メチルもしくはエチルであり、Ｒ２およびＲ３は、各々、互いに独立して、水素もしくはメチルであり、またはＲ２およびＲ３は、ともに、１，４−β−１−３−ジエニレンである）。
【００４８】
さらなる可能なイオン液体は、カチオン［Ａ］＋が、ピロリジニウムイオン（ＸＶＩＩｓ）
【化１８】
2009185287.tif 000019
であるイオン液体である
（式中、
・Ｒ１は、水素、メチル、エチルまたはフェニルであり、Ｒ２からＲ９は、各々、互いに独立して、水素もしくはメチルである）。
【００４９】
さらなる可能なイオン液体は、カチオン［Ａ］＋が、イミダゾリジニウムイオン（ＸＶＩＩｔ）
【化１９】
2009185287.tif 000020
であるイオン液体である
（式中、
・Ｒ１およびＲ４は、各々、互いに独立して、水素、メチル、エチルまたはフェニルであり、Ｒ２およびＲ３および同様にＲ５からＲ８は、各々、互いに独立して、水素またはメチルである）。
【００５０】
可能なイオン液体は、カチオン［Ａ］＋が、アンモニウムイオン（ＩＶ）
【化２０】
2009185287.tif 000021
であるイオン液体も含む
（式中、
・Ｒ１からＲ３は、各々、互いに独立して、Ｃ１〜Ｃ１８−アルキルであり；または
・Ｒ１からＲ３は、各々、互いに独立して、水素もしくはＣ１〜Ｃ１８−アルキルであり、Ｒ４は、２−ヒドロキシエチルであり；または
・Ｒ１およびＲ２は、ともに、１，５−ペンチレンもしくは３−オキサ−１，５−ペンチレンであり、Ｒ３は、Ｃ１〜Ｃ１８−アルキル、２−ヒドロキシエチルもしくは２−シアノエチルである）。
【００５１】
特に好ましいアンモニウムイオン（ＩＶ）としては、メチルトリ（１−ブチル）アンモニウム、２−ヒドロキシエチルアンモニウム、ビス（２−ヒドロキシエチル）ジメチルアンモニウム、Ｎ，Ｎ−ジメチルピペリジニウムおよびＮ，Ｎ−ジメチルモルホリニウムも挙げることができる。
【００５２】
さらなる可能なイオン液体は、カチオン［Ａ］＋が、グアニジニウムイオン（ＩＶｖ）
【化２１】
2009185287.tif 000022
であるイオン液体である
（式中、
・Ｒ１からＲ５は、各々、メチルであり；
・Ｒ１からＲ５は、各々、互いに独立して、Ｃ１〜Ｃ１８−アルキルであり；または
・Ｒ１からＲ５は、各々、互いに独立して、水素もしくはＣ１〜Ｃ１８−アルキルもしくは２−ヒドロキシエチルである）。
【００５３】
非常に特に好ましいグアニジニウムイオン（ＩＶｖ）としては、Ｎ，Ｎ，Ｎ’，Ｎ’，Ｎ”，Ｎ”−ヘキサメチルグアニジニウムを挙げることができる。
【００５４】
可能なイオン液体は、カチオン［Ａ］＋が、エタノールアミンの誘導体、例えば、コリニウムイオン（cholinium ion）（ＸＶＩＩｗ）、またはジエタノールアミンの誘導体（ＸＶＩＩｗ’）、またはトリエタノールアミンの誘導体（ＸＶＩＩｗ”）
【化２２】
2009185287.tif 000023
であるイオン液体も含む
（式中、
・Ｒ１およびＲ２は、各々、互いに独立して、メチル、エチル、１−ブチルもしくは１−オクチルであり、Ｒ３は、水素、メチル、エチル、アセチル、−ＳＯ２ＯＨもしくは−ＰＯ（ＯＨ）２であり；
・Ｒ１は、メチル、エチル、１−ブチルもしくは１−オクチルであり、Ｒ２は、−ＣＨ２−ＣＨ２−ＯＲ４基であり、Ｒ３およびＲ４は、各々、互いに独立して、水素、メチル、エチル、アセチル、−ＳＯ２ＯＨもしくは−ＰＯ（ＯＨ）２であり；または
・Ｒ１は、−ＣＨ２−ＣＨ２−ＯＲ４基であり、Ｒ２は、−ＣＨ２−ＣＨ２−ＯＲ５基であり、Ｒ３からＲ５は、各々、互いに独立して、水素、メチル、エチル、アセチル、−ＳＯ２ＯＨもしくは−ＰＯ（ＯＨ）２であり；
・Ｒ１は、メチル、エチル、１−ブチル、１−オクチル、アセチル、−ＳＯ２ＯＨもしくは−ＰＯ（ＯＨ）２であり、Ｒ３からＲ５は、各々、互いに独立して、水素、メチル、エチル、アセチル、−ＳＯ２ＯＨ、−ＰＯ（ＯＨ）２もしくは−（ＣｎＨ２ｎＯ）ｍＲ１であり、ここで、ｎ＝１から５であり、ｍ＝１から１００である）。
【００５５】
Ｒ、Ｒ１およびＲ２が、１から４個の炭素原子を有するアルキル基、特に好ましくはメチル基であり、Ｒ３および／またはＲ４が、８から２２個の炭素原子、好ましくは１２から１８個の炭素原子を有する飽和または不飽和脂肪酸またはアリール基である化合物も好ましい。アシルまたは脂肪酸基の混合物（特に、例えば、天然存在比で）が存在することも可能である。
【００５６】
式（ＸＶＩＩｗ”）の場合、Ｒ、Ｒ１、Ｒ２が、各々、１から４個の炭素原子を有するアルキル基、特にメチル基であり、Ｒ３が、脂肪酸基であり、Ｒ４およびＲ５が、各々、脂肪酸基または水素であること非常に特に好ましい。
【００５７】
可能なイオン液体は、カチオン［Ａ］＋が、ホスホニウムイオン（ＶＩ）であるイオン液体を含み、ここで、
・Ｒ１からＲ３は、各々、互いに独立して、Ｃ１〜Ｃ１８−アルキル、特にブチル、イソブチル、１−ヘキシルまたは１−オクチルである。
【００５８】
上述のカチオンのうちでは、ピリジニウムイオン（ＸＶＩＩａ）、イミダゾリウムイオン（ＸＶＩ）およびアンモニウムイオン（ＩＶ）、特に１−メチルピリジニウム、１−エチルピリジニウム、１−（１−ブチル）ピリジニウム、１−（１−ヘキシル）ピリジニウム、１−（１−オクチル）ピリジニウム、１−（１−ヘキシル）ピリジニウム、１−（１−オクチル）ピリジニウム、１−（１−ド−デシル）ピリジニウム、１−（１−テトラデシル）ピリジニウム、１−（１−ヘキサ−デシル）ピリジニウム、１，２−ジメチルピリジニウム、１−エチル−２−メチルピリジニウム、１−（１−ブチル）−２−メチルピリジニウム、１−（１−ヘキシル）−２−メチルピリジニウム、１−（１−オクチル）−２−メチル−ピリジニウム、１−（１−ドデシル）−２−メチルピリジニウム、１−（１−テトラ−デシル）−２−メチルピリジニウム、１−（１−ヘキサデシル）−２−メチル−ピリジニウム、１−メチル−２−エチルピリジニウム、１，２−ジエチル−ピリジニウム、１−（１−ブチル）−２−エチルピリジニウム、１−（１−ヘキシル）−２−エチルピリジニウム、１−（１−オクチル）−２−エチルピリジニウム、１−（１−ドデシル）−２−エチルピリジニウム、１−（１−テトラデシル）−２−エチル−ピリジニウム、１−（１−ヘキサデシル）−２−エチルピリジニウム、１，２−ジメチル−５−エチルピリジニウム、１，５−ジエチル−２−メチル−ピリジニウム、１−（１−ブチル）−２−メチル−３−エチルピリジニウム、１−（１−ヘキシル）−２−メチル−３−エチルピリジニウム、１−（１−オクチル）−２−メチル−３−エチルピリジニウム、１−（１−ドデシル）−２−メチル−３−エチル−ピリジニウム、１−（１−テトラデシル）−２−メチル−３−エチルピリジニウム、１−（１−ヘキサデシル）−２−メチル−３−エチルピリジニウム、１−メチル−イミダゾリウム、１−エチルイミダゾリウム、１−（１−ブチル）イミダゾリウム、１−（１−オクチル）イミダゾリウム、１−（１−ドデシル）イミダゾリウム、１−（１−テトラデシル）イミダゾリウム、１−（１−ヘキサデシル）イミダゾリウム、１，３−ジメチルイミダゾリウム、１−エチル−３−メチルイミダゾリウム、１−（１−ブチル）−３−メチルイミダゾリウム、１−（１−ヘキシル）−３−メチル−イミダゾリウム、１−（１−オクチル）−３−メチルイミダゾリウム、１−（１−ドデシル）−３−メチルイミダゾリウム、１−（１−テトラデシル）−３−メチルイミダゾリウム、１−（１−ヘキサデシル）−３−メチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチルイミダゾリウム、１−（１−ヘキシル）−２，３−ジメチルイミダゾリウムおよび１−（１−オクチル）−２，３−ジメチルイミダゾリウム、１，４−ジメチル−イミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチル−イミダゾリウム、１，４，５−トリメチル−３−ブチルイミダゾリウム、１，４，５−トリメチル−３−オクチルイミダゾリウムおよび２−ヒドロキシエチルアンモニウムが好ましい。
【００５９】
式（ＩＩＩａ）から（ＩＩＩｊ）において記載された金属カチオン［Ｍ１］＋、［Ｍ２］＋、［Ｍ３］＋、［Ｍ４］２＋および［Ｍ５］３＋は、一般的に、周期表の１、２、６、７、８、９、１０、１１、１２および１３族の金属カチオンである。適切な金属カチオンは、例えば、Ｌｉ＋、Ｎａ＋、Ｋ＋、Ｃｓ＋、Ｍｇ２＋、Ｃａ２＋、Ｂａ２＋、Ｃｒ３＋、Ｆｅ２＋、Ｆｅ３＋、Ｃｏ２＋、Ｎｉ２＋、Ｃｕ２＋、Ａｇ＋、Ｚｎ２＋およびＡ１３＋である。
【００６０】
本発明によって使用されるイオン液体は、少なくとも１種のアニオンと組み合わせた少なくとも１種の上記のカチオンを含む。可能なアニオンは、基本的には、カチオンと組み合わせてイオン液体をもたらす全てのアニオンである。
【００６１】
イオン液体のアニオン［Ｙ］ｎ−は、例えば、
・式：Ｆ−、Ｃｌ−、Ｂｒ−、Ｉ−、ＢＦ４−、ＰＦ６−、ＡｌＣｌ４−、Ａｌ２Ｃｌ７−、Ａｌ３Ｃｌ１０−、ＡｌＢｒ４−、ＦｅＣｌ４−、ＢＣｌ４−、ＳｂＦ６−、ＡｓＦ６−、ＺｎＣｌ３−、ＳｎＣｌ３−、ＣｕＣｌ２−、ＣＦ３ＳＯ３−、（ＣＦ３ＳＯ３）２Ｎ−、ＣＦ３ＣＯ２−、ＣＣｌ３ＣＯ２−、ＣＮ−、ＳＣＮ−、ＯＣＮ−、ＮＯ２−、ＮＯ３−、Ｎ（ＣＮ）−のハロゲン化物およびハロゲン含有化合物の群；
・一般式：ＳＯ４２−、ＨＳＯ４−、ＳＯ３２”、ＨＳＯ３−、ＲａＯＳＯ３−、ＲａＳＯ３−のスルフェート、サルファイトおよびスルホネートの群；
・一般式：ＰＯ４３−、ＨＰＯ４２、Ｈ２ＰＯ４−、ＲａＰＯ４２−、ＨＲａＰＯ４−、ＲａＲｂＰＯ４−のホスフェートの群；
・一般式：ＲａＨＰＯ３−、ＲａＲｂＰＯ２−、ＲａＲｂＰＯ３−のホスホネートおよびホスフィネートの群；
・一般式：ＰＯ３３−、ＨＰＯ３２−、Ｈ２ＰＯ３−、ＲａＰＯ３２−、ＲａＨＰＯ３−、ＲａＲｂＰＯ３−のホスファイトの群；
・一般式：ＲａＲｂＰＯ２−、ＲａＨＰＯ２−、ＲａＲｂＰＯ−、ＲａＨＰＯ−のホスホナイトおよびホスフィナイトの群；
・一般式：ＲａＣＯＯ−のカルボキシレートの群；
・一般式：ＢＯ３３−、ＨＢＯ３２−、Ｈ２ＢＯ３−、ＲａＲｂＢＯ３−、ＲａＨＢＯ３−、ＲａＢＯ３２−、Ｂ（ＯＲａ）（ＯＲｂ）（ＯＲｃ）（ＯＲｄ）−、Ｂ（ＨＳＯ４）−、Ｂ（ＲａＳＯ４）−のボレートの群；
・一般式：ＲａＢＯ２２−、ＲａＲｂＢＯ−のボロネートの群；
・一般式：ＨＣＯ３−、ＣＯ３２−、ＲａＣＯ３−のカーボネートおよびカーボネートエステルの群；
・一般式：ＳｉＯ４４−、ＨＳｉＯ４３−、Ｈ２ＳｉＯ４２−、Ｈ３ＳｉＯ４−、ＲａＳｉＯ４３−、ＲａＲｂＳｉＯ４２−、ＲａＲｂＲｃＳｉＯ４−、ＨＲａＳｉＯ４２−、Ｈ２ＲａＳｉＯ４−、ＨＲａＲｂｓｉＯ４−のシリケートおよびシリケートエステルの群；
・一般式：ＲａＳｉＯ３３−、ＲａＲｂＳｉＯ２２−、ＲａＲｂＲｃＳｉＯ−、ＲａＲｂＲｃＳｉＯ３−、ＲａＲｂＲｃＳｉＯ２−、ＲａＲｂＳｉＯ３２−のアルキルシランおよびアリールシラン塩の群；
・一般式：
【化２３】
2009185287.tif 000024
のカルボキサミド、ビス（スルホニル）イミドおよびスルホニルイミドの群；
・一般式：
【化２４】
2009185287.tif 000025
のメチドの群；
・一般式：ＲａＯ−のアルコキシドおよびアリールオキシドの群；
・一般式［ＭｒＨａｌｔ］ｓ−（ここで、Ｍは、金属であり、Ｈａｌは、フッ素、塩素、臭素またはヨウ素であり、ｒおよびｔは、正の整数であり、この錯体の化学量論を示し、ｓは、正の整数であり、この錯体上の電荷を示す）のハロメタレートの群；
・一般式：Ｓ２−、ＨＳ−、［Ｓｖ］２−、［ＨＳｖ］−、［ＲａＳ］−（ここで、ｖは、２から１０までの正の整数である）の硫化物、硫化水素、多硫化物、多硫化水素およびチオレートの群；
・Ｆｅ（ＣＮ）６３−、Ｆｅ（ＣＮ）６４−、ＭｎＯ４−、Ｆｅ（ＣＯ）４−などの金属錯イオンの群
から選択される。
【００６２】
これらの式において、Ｒａ、Ｒｂ、ＲｃおよびＲｄは、各々、互いに独立して、
・水素；
・Ｃ１〜Ｃ３０−アルキルおよびそれらのアリール−、ヘテロアリール−、シクロアルキル、ハロゲン−、ヒドロキシ−、アミノ−、カルボキシ−、ホルミル−、−Ｏ−、−ＣＯ−、−ＣＯ−Ｏ−または−ＣＯ−Ｎ＜で置換された成分、例えば、メチル、エチル、１−プロピル、２−プロピル、１−ブチル、２−ブチル、２−メチル−１−プロピル（イソブチル）、２−メチル−２−プロピル（ｔｅｒｔ−ブチル）、１−ペンチル、２−ペンチル、３−ペンチル、２−メチル−１−ブチル、３−メチル−１−ブチル、２−メチル−２−ブチル、３−メチル−２−ブチル、２，２−ジメチル−１−プロピル、１−ヘキシル、２−ヘキシル、３−ヘキシル、２−メチル−１−ペンチル、３−メチル−１−ペンチル、４−メチル−１−ペンチル、２−メチル−２−ペンチル、３−メチル−２−ペンチル、４−メチル−２−ペンチル、２−メチル−３−ペンチル、３−メチル−３−ペンチル、２，２−ジメチル−１−ブチル、２，３−ジメチル−１−ブチル、３，３−ジメチル−１−ブチル、２−エチル−１−ブチル、２，３−ジメチル−２−ブチル、３，３−ジメチル−２−ブチル、ヘプチル、オクチル、ノニル、デシル、ウンデシル、ドデシル、トリデシル、テトラデシル、ペンタデシル、ヘキサデシル、ヘプタデシル、オクタデシル、ノナデシル、イコシル、ヘンイコシル、ドコシル、トリコシル、テトラコシル、ペンタコシル、ヘキサコシル、ヘプタコシル、オクタコシル、ノナコシル、トリアコンチル、フェニルメチル（ベンジル）、ジフェニルメチル、トリフェニルメチル、２−フェニルエチル、３−フェニルプロピル、シクロペンチルメチル、２−シクロペンチルエチル、３−シクロペンチル−プロピル、シクロヘキシルメチル、２−シクロヘキシルエチル、３−シクロヘキシルプロピル、メトキシ、エトキシ、ホルミル、アセチルまたはＣｑＦ２（ｑ−ａ）＋（１−ｂ）Ｈ２ａ＋ｂ（ここで、ｑ＜３０であり、０≦ａ≦ｑであり、ｂ＝０または１である）（例えば、ＣＦ３、Ｃ２Ｆ５、ＣＨ２ＣＨ２−Ｃ（ｑ−２）Ｆ２（ｑ−２）＋１、Ｃ６Ｆ１３、Ｃ８Ｆ１７、Ｃ１０Ｆ２１、Ｃ１２Ｅ２５）；
・Ｃ３〜Ｃ１２−シクロアルキルおよびそのアリール−、ヘテロアリール−、シクロアルキル−、ハロゲン−、ヒドロキシ−、アミノ−、カルボキシ−、ホルミル−、−Ｏ−、−ＣＯ−または−ＣＯ−Ｏ−で置換された成分、例えば、シクロペンチル、２−メチル−１−シクロペンチル、３−メチル−１−シクロペンチル、シクロヘキシル、２−メチル−１−シクロヘキシル、３−メチル−１−シクロヘキシル、４−メチル−１−シクロヘキシルまたはＣｑＦ２（ｑ−ａ）−（１−ｂ）Ｈ２ａ−ｂ（ここで、ｑ≦３０であり、０≦ａ≦ｑであり、ｂ＝０または１である）；
・Ｃ２〜Ｃ３０−アルケニルおよびそのアリール−、ヘテロアリール−、シクロアルキル−、ハロゲン−、ヒドロキシ−、アミノ−、カルボキシ−、ホルミル−、−Ｏ−、−ＣＯ−または−ＣＯ−Ｏ−で置換された成分、例えば、２−プロペニル、３−ブテニル、シス−２−ブテニル、トランス−２−ブテニルまたはＣｑＦ２（ｑ−ａ）−（１−ｂ）Ｈ２ａ−ｂ（ここで、ｑ≦３０であり、０≦ａ≦ｑであり、ｂ＝０または１である）；
・Ｃ３〜Ｃ１２−シクロアルケニルおよびそのアリール−、ヘテロアリール−、シクロアルキル−、ハロゲン−、ヒドロキシ−、アミノ−、カルボキシ−、ホルミル−、−Ｏ−、−ＣＯ−または−ＣＯ−Ｏ−で置換された成分、例えば、３−シクロペンテニル、２−シクロヘキセニル、３−シクロヘキセニル、２，５−シクロヘキサジエニルまたはＣｑＦ２（ｑ−ａ）−３（１−ｂ）Ｈ２ａ−３ｂ（ここで、ｑ≦３０であり、０≦ａ≦ｑであり、ｂ＝０または１である）；
・２から３０個の炭素原子を有するアリールまたはヘテロアリールおよびそのアルキル−、アリール−、ヘテロアリール−、シクロアルキル−、ハロゲン−、ヒドロキシ−、アミノ−、カルボキシ−、ホルミル−、−Ｏ−、−ＣＯ−または−ＣＯ−Ｏ−で置換された成分、例えば、フェニル、２−メチルフェニル（２−トリル）、３−メチルフェニル（３−トリル）、４−メチルフェニル、２−エチルフェニル、３−エチルフェニル、４−エチルフェニル、２，３−ジメチルフェニル、２，４−ジメチルフェニル、２，５−ジメチルフェニル、２，６−ジメチルフェニル、３，４−ジメチルフェニル、３，５−ジメチルフェニル、４−フェニルフェニル、１−ナフチル、２−ナフチル、１−ピロリル、２−ピロリル、３−ピロリル、２−ピリジニル、３−ピリジニル、４−ピリジニルまたはＣ６Ｆ（５−ａ）Ｈａ（ここで、０≦ａ≦５である）であり；あるいは
・２つの基は、官能基、アリール、アルキル、アリールオキシ、アルキルオキシ、ハロゲン、ヘテロ原子および／または複素環で置換されてよく、１個以上の酸素および／または硫黄原子および／または１個以上の置換または非置換イミノ基によって介入されてもよい不飽和、飽和または芳香族環を形成するものである。
【００６３】
可能なアニオンは、例えば、塩化物；臭化物；ヨウ化物；チオシアネート；ヘキサフルオロホスフェート；トリフルオロメタンスルホネート；メタンスルホネート；ホルメート；アセテート；グリコレート；ラクテート；オキサレート；シトレート；マレート；マレエート；タルトレート；マンデレート；ナイトレート；ナイトライト；トリフルオロアセテート；スルフェート；硫酸水素塩；メチルスルフェート；エチルスルフェート；１−プロピルスルフェート；１−ブチルスルフェート；１−ヘキシルスルフェート；１−オクチルスルフェート；ホスフェート；リン酸二水素塩（dihydrogenphosphate）；リン酸水素塩；Ｃ１〜Ｃ４−ジアルキルホスフェート；プロピオネート；テトラクロロアルミネート；Ａｌ２Ｃｌ７−；クロロジンケート；クロロフェレート；ビス（トリフルオロメチルスルホニル）イミド；ビス（ペンタフルオロエチルスルホニル）イミド；ビス（メチルスルホニル）イミド；ビス（ｐ−トリルスルホニル）イミド；トリス（トリフルオロメチルスルホニル）メチド；ビス（ペンタフルオロエチルスルホニル）メチド；ｐ−トリルスルホネート；テトラカルボニルコバルテート；ジメチレングリコールモノメチルエーテルスルフェート；オレエート；ステアレート；アクリレート；メタクリレート；マレエート；クエン酸水素塩；ビニルホスホネート；ビス（ペンタフルオロエチル）ホスフィネート；ビス［サリチラト（２−）］ボレート、ビス［オキサラト（２−）］ボレート、ビス［１，２−ベンゼンジオラト（２−）−Ｏ，Ｏ’］ボレート、テトラシアノボレート、テトラフルオロボレートなどのボレート；ジシアナミド；トリス（ペンタフルオロエチル）トリフルオロホスフェート；トリス（ヘプタフルオロプロピル）トリフルオロホスフェート、カテコールホスフェート（Ｃ６Ｈ４Ｏ２）Ｐ（Ｏ）Ｏ−などの環状アリールホスフェートおよびクロロコバルテートである。
【００６４】
好ましいアニオンは、完全なものを記載するものではないが、ハロゲン化物、ビス（トリフルロロメチリルスルホニル）イミドなどのビス（パーフルオロアルキルスルホニル）アミドまたはイミド、アルキルトシレートおよびアリールトシレート、パーフルオロアルキルトシレート、ナイトレート、スルフェート、硫酸水素塩、アルキルスルフェートおよびアリールスルフェート、ポリエーテルスルフェートおよびスルホネート、パーフルオロアルキルスルフェート、スルホネート、アルキルスルホネートおよびアリールスルホネート、過フッ素化アルキルスルホネートおよびアリールスルホネート、アルキルカルボキシレート、およびアリールカルボキシレート、パーフルオロアルキルカルボキシレート、過塩素酸塩、テトラクロロアルミネート、サッカリネートからなる群から選択される。さらなる可能性は、ジシアナミド、チオシアネート、イソチオシアネート、テトラフェニルボレート、テトラキス（ペンタフルオロフェニル）ボレート、テトラフルオロボレート、ヘキサフルオロホスフェート、ポリエーテルホスフェートおよびホスフェートである。
【００６５】
非常に特に好ましいアニオンは、塩化物、臭化物、硫酸水素塩、テトラクロロアルミネート、チオシアネート、メチルスルフェート、エチルスルフェート、メタンスルホネート、ホルメート、アセテート、グリコレート、ラクテート、ジメチルホスフェート、ジエチルホスフェート、ｐ−トリルスルホネート、テトラフルオロボレートおよびヘキサフルオロホスフェートである。
【００６６】
本発明のさらなる好ましい実施形態においては、１，３−ジアルキルイミダゾリウム、１，２，３−トリアルキルイミダゾリウム、１，３−ジアルキルイミダゾリニウムおよび１，２，３−トリアルキルイミダゾリニウムカチオンと、ハロゲン化物、ビス（トリフルオロメチリルスルホニル）イミド、パーフルオロアルキルトシレート、アルキルスルフェートおよび−スルホネート、パーフルオロアルキルスルホネートおよびアルキルスルフェート、パーフルオロアルキルカルボキシレート、過塩素酸塩、ジシアナミド、チオシアネート、イソチオシアネート、テトラフェニルボレート、テトラキス（ペンタフルオロフェニル）ボレート、テトラフルオロボレート、ヘキサフルオロホスフェート、アセテート、グリコレート、ラクテートからなる群から選択されるアニオンとの組み合わせを含有するイオン液体またはそれらの混合物が使用される。
【００６７】
さらに、ＴＥＧＯ（登録商標）ＩＬ  Ｔ１６ＥＳ、ＴＥＧＯ（登録商標）ＩＬ  Ｋ５ＭＳ、ＴＥＧＯ（登録商標）ＩＬ  ＤＳまたはＴＥＧＯ（登録商標）ＩＬ  ２ＭＳ（Evonik Goldschmidt GmbHの製品）などの単一の、市販の、非環式第４級アンモニウム塩を使用することも可能である。
【００６８】
本開示の目的のための特に好ましいイオン液体は、１−ブチル−３−メチルイミダゾリウム２−（２−メトキシエトキシ）エチルスルフェート、１−ブチル−３−メチルイミダゾリウムアセテート、１−エチル−３−メチルイミダゾリウムアセテート、テトラブチルアンモニウムベンゾエート、トリヘキシルテトラデシルホスホニウムビス（２，４，４−トリメチル−ペンチル）ホスフィネート、１−エチル−３−メチルイミダゾリウムビス（ペンタフルオロエチルスルホニル）イミド、１−ブチル−１−メチル−ピロリジニウムビス（トリフルオロメチルスルホニル）イミド、１−ブチル−３−メチルイミダゾリウムビス（トリフルオロメチル−スルホニル）イミド、１−ブチル−３−メチルピリジニウムビス（トリフルオロ−メチルスルホニル）イミド、１，２−ジメチル−３−プロピルイミダゾリウムビス（トリフルオロメチルスルホニル）イミド、１−エチル−３−メチル−イミダゾリウムビス（トリフルオロメチルスルホニル）イミド、３−メチル−１−プロピルピリジニウムビス（トリフルオロメチルスルホニル）イミド、メチルトリオクチルアンモニウムビス（トリフルオロメチルスルホニル）イミド、テトラブチルアンモニウムビス（トリフルオロ−メチルスルホニル）イミド、トリヘキシルテトラデシルホスホニウムビス（トリフルオロメチルスルホニル）イミド、１−ブチル−１−メチル−ピロリジニウムブロミド、１−ブチルピリジニウムブロミド、１−エチル−３−メチルイミダゾリウムブロミド、４−メチル−Ｎ−ブチルピリジニウムブロミド、テトラブチルアンモニウムブロミド、テトラブチルホスホニウムブロミド、テトラヘプチルアンモニウムブロミド、テトラヘキシルアンモニウムブロミド、テトラオクチルアンモニウムブロミド、テトラオクチルホスホニウムブロミド、テトラペンチルアンモニウムブロミド、トリブチルヘキサデシルホスホニウムブロミド、１−アリル−３−メチルイミダゾリウムクロリド、１−ベンジル−３−メチルイミダゾリウムクロリド、１−ブチル−１−メチルピロリジニウムクロリド、１−ブチル−２，３−ジメチルイミダゾリウムクロリド、１−ブチル−３−メチルイミダゾリウムクロリド、１−ブチル−４−メチルピリジニウムクロリド、１−エチル−２，３−ジメチルイミダゾリウムクロリド、１−エチル−３−メチルイミダ−ゾリウムクロリド、１−ヘキシル−３−メチルイミダゾリウムクロリド、１−メチル−３−オクチルイミダゾリウムクロリド、メチルイミダゾリウムクロリド、テトラブチルアンモニウムクロリド、テトラブチル−ホスホニウムクロリド、テトラヘプチルアンモニウムクロリド、テトラオクチルアンモニウムクロリド、トリヘキシルテトラデシルホスホニウムクロリド、ブチルアンモニウム−α−シアノ−４−ヒドロシンナメート、ジエチルアンモニウム−α−シアノ−４−ヒドロシンナメート、トリヘキシルテトラデシルホスホニウムデカノエート、１−ブチル−１−メチルピロリジニウムジシアナミド、１−ブチル−３−メチルイミダゾリウムジシアナミド、１−エチル−３−メチルイミダゾリウムジシアナミド、トリヘキシルテトラ−デシルホスホニウムジシアナミド、１−エチル−２，３−ジメチルイミダ−ゾリウムエチル��ルフェート、１−エチル−３−メチルイミダゾリウムエチルスルフェート、１−ベンジル−３−メチルイミダゾリウムヘキサフルオロホスフェート、１−ブチル−２，３−ジメチルイミダゾリウムヘキサフルオロホスフェート、１−ブチル−３−（３，３，．．．−トリデカフルオロオクチル）イミダゾリウムヘキサフルオロホスフェート、１−ブチル−３−メチルイミダゾリウムヘキサフルオロホスフェート、１−エチル−３−メチルイミダゾリウムヘキサフルオロホスフェート、１−ヘキシル−３−メチルイミダゾリウムヘキサフルオロホスフェート、１−メチル−３−（３，３，．．．−トリデカフルオロ−オクチル）イミダゾリウムヘキサフルオロホスフェート、１−ブチル−４−メチル−ピリジニウムヘキサフルオロホスフェート、１−メチル−３−オクチルイミダ−ゾリウムヘキサフルオロホスフェート、トリヘキシルテトラデシルホスホニウムヘキサフルオロホスフェート、１−ブチル−３−メチルイミダゾリウムヒドロゲンスルフェート、１−エチル−３−メチルイミダゾリウムヒドロゲンスルフェート、メチルイミダゾリウムヒドロゲンスルフェート、１−ドデシル−３−メチルイミダゾリウムヒドロゲンスルフェート、１−ドデシル−３−メチルイミダゾリウムヨージド、テトラヘキシルアンモニウムヨージド、１−ブチル−３−メチルイミダゾリウムメタンスルホネート、１−エチル−３−メチルイミダゾリウムメタンスルホネート、テトラブチルアンモニウムメタンスルホネート、テトラブチルホスホニウムメタンスルホネート、１−ブチル−３−メチルイミダゾリウムメチルスルフェート、１，３−ジメチルイミダゾリウムメチルスルフェート、メチルトリブチルアンモニウムメチルスルフェート、１−エチル−３−メチルイミダゾリウムメチルスルフェート、１，２，３−トリメチル−イミダゾリウムメチルスルフェート、１−ブチル−３−メチルイミダゾリウムニトレート、１−エチル−３−メチルイミダゾリウムニトレート、テトラブチル−アンモニウムノナフルオロブタンスルホネート、テトラブチルアンモニウムヘプタデカフルオロオクタンスルホネート、１−ブチル−３−メチル−イミダゾリウムオクチルスルフェート、４−（３−ブチル−１−イミダゾリオ）−ブタン−１−スルホネート、３−（トリフェニルホスホニオ）プロパン−１−スルホネート、１−ブチル−３−メチルイミダゾリウムテトラクロロアルミネート、１−エチル−３−メチルイミダゾリウムテトラ−クロロアルミネート、１−ベンジル−３−メチルイミダゾリウムテトラ−フルオロボレート、１−ブチル−２，３−ジメチルイミダゾリウムテトラ−フルオロボレート、１−ブチル−３−メチルイミダゾリウムテトラフルオロ−ボレート、１−エチル−３−メチルイミダゾリウムテトラフルオロボレート、１−ヘキシル−３−メチルイミダゾリウムテトラフルオロボレート、１−メチル−３−オクチルイミダゾリウムテトラフルオロボレート、１−ブチル−１−メチル−ピロリジニウムテトラフルオロボレート、１−ブチル−４−メチル−ピリジニウムテトラフルオロボレート、テトラブチルアンモニウムテトラ−フルオロボレート、テトラヘキシルアンモニウムテトラフルオロボレート、テトラブチルホスホニウム��トラフルオロボレート、トリヘキシルテトラ−デシルホスホニウムテトラフルオロボレート、１−ブチル−３−メチルイミダゾリウムチオシアネート、１−エチル−３−メチル−イミダゾリウムチオシアネート、テトラペンチルアンモニウムチオシアネート、トリオクチルメチルアンモニウムチオサリチレート、１−ブチル−３−メチル−イミダゾリウムトシレート、１−エチル−３−メチルイミダゾリウムトシレート、テトラブチルホスホニウムトシレート、トリイソブチル−メチルホスホニウムトシレート、３−（トリフェニル−ホスホニオ）プロパン−１−スルホニルトシレート、テトラエチル−アンモニウムトリフルオロアセテート、４−（３−ブチル−１−イミダゾリオ）ブタン−１−スルホニルトリフルオロメタンスルホネート、１−ブチル−３−メチルイミダゾリウムトリフルオロメタンスルホネート、１−エチル−２，３−ジメチルイミダゾリウムトリフルオロメタン−スルホネート、１−エチル−３−メチルイミダゾリウムトリフルオロ−メタンスルホネート、１−ヘキシル−３−メチルイミダゾリウムトリフルオロ−メタンスルホネート、１−メチル−３−オクチルイミダゾリウムトリフルオロ−メタンスルホネート、テトラエチルアンモニウムトリフルオロメタン−スルホネート、１，２，３−トリメチルイミダゾリウムトリフルオロ−メタンスルホネート、１−ヒドロキシエチル−３−メチルイミダゾリウム−２−（２−メトキシエトキシ）エチルスルフェート、１−ヒドロキシエチル−３−メチル−イミダゾリウムアセテート、１−ヒドロキシエチル−３−メチルイミダゾリウムトリフルオロアセテート、１−ヒドロキシエチル−３−メチルイミダゾリウムビス（トリフルオロメチルスルホニル）イミド、１−ヒドロキシエチル−３−メチルイミダゾリウムブロミド、１−ヒドロキシエチル−３−メチル−イミダゾリウムクロリド、１−ヒドロキシエチル−３−メチルイミダゾリウムデカノエート、１−ヒドロキシエチル−３−メチルイミダゾリウムジシアナミド、１−ヒドロキシエチル−３−メチルイミダゾリウムヘキサフルオロ−ホスフェート、１−ヒドロキシエチル−３−メチルイミダゾリウムヒドロゲン−スルフェート、１−ヒドロキシエチル−３−メチルイミダゾリウムヨージド、１−ヒドロキシエチル−３−メチルイミダゾリウムメタンスルホネート、１−ヒドロキシエチル−３−メチルイミダゾリウムメチルスルフェート、１−ヒドロキシエチル−３−メチルイミダゾリウムエチルスルフェート、１−ヒドロキシエチル−３−メチルイミダゾリウムニトレート、１−ヒドロキシエチル−３−メチルイミダゾリウムホスフェート、１−ヒドロキシエチル−３−メチル−イミダゾリウムオクチルスルフェート、１−ヒドロキシエチル−３−メチルイミダ−ゾリウムテトラクロロアルミネート、１−ヒドロキシエチル−３−メチルイミダゾリウムテトラフルオロボレート、１−ヒドロキシエチル−３−メチルイミダゾリウムチオシアネート、１−ヒドロキシエチル−３−メチルイミダゾリウムサリチレート、１−ヒドロキシエチル−３−メチルイミダゾリウムチオサリチレート、１−ヒドロキシエチル−３−メチルイミダゾリウムトシレート、１−ヒドロキシエチル−３−メチル−イミダゾリウ��トリフルオロメタンスルホネート、１−ヒドロキシエチル−３−メチルイミダゾリウムラクテート、１−ヒドロキシエチル−３−メチルイミダ−ゾリウムグリコレート、１−ヒドロキシエチル−３−メチルイミダゾリウムシトレート、１−ヒドロキシエチル−３−メチルイミダゾリウムオキサレート、１−ヒドロキシエチル−３−メチルイミダゾリウムタルトレート、ビス−（ヒドロキシ−エチル）ジメチルアンモニウムアセテート、ビス−（ヒドロキシエチル）−ジメチルアンモニウムトリフルオロアセテート、ビス−（ヒドロキシ−エチル）ジメチルアンモニウムビス（トリフルオロメチルスルホニル）イミド、ビス−（ヒドロキシエチル）ジメチルアンモニウムブロミド、ビス−（ヒドロキシエチル）ジメチルアンモニウムクロリド、ビス−（ヒドロキシエチル）ジメチルアンモニウムデカノエート、ビス−（ヒドロキシエチル）ジメチルアンモニウムジシアナミド、ビス−（ヒドロキシエチル）ジメチルアンモニウムヘキサフルオロホスフェート、ビス−（ヒドロキシエチル）ジメチルアンモニウムヒドロゲンスルフェート、ビス−（ヒドロキシエチル）ジメチルアンモニウムヨージド、ビス−（ヒドロキシ−エチル）ジメチルアンモニウムメタンスルホネート、ビス−（ヒドロキシ−エチル）ジメチルアンモニウムメチルスルフェート、ビス−（ヒドロキシ−エチル）ジメチルアンモニウムエチルスルフェート、ビス−（ヒドロキシ−エチル）ジメチルアンモニウムニトレート、ビス−（ヒドロキシ−エチル）ジメチルアンモニウムホスフェート、ビス−（ヒドロキシ−エチル）ジメチルアンモニウムオクチルスルフェート、ビス−（ヒドロキシ−エチル）ジメチルアンモニウムテトラクロロアルミネート、ビス−（ヒドロキシエチル）ジメチルアンモニウムテトラフルオロボレート、ビス−（ヒドロキシエチル）ジメチルアンモニウムチオシアネート、ビス−（ヒドロキシエチル）ジメチルアンモニウムサリチレート、ビス−（ヒドロキシエチル）ジメチルアンモニウムチオサリチレート、ビス−（ヒドロキシエチル）ジメチルアンモニウムトシレート、ビス−（ヒドロキシ−エチル）ジメチルアンモニウムトリフルオロメタンスルホネート、ビス−（ヒドロキシエチル）ジメチルアンモニウムラクテート、ビス−（ヒドロキシ−エチル）ジメチルアンモニウムグリコレート、ビス−（ヒドロキシエチル）ジ−メチルアンモニウムシトレート、ビス−（ヒドロキシ
エチル）ジメチル−アンモニウムオキサレート、ビス−（ヒドロキシエチル）ジメチルアンモニウムタルトレートである。
【００６９】
次の機能添加剤の添加によって、固体表面上における、イオン液体を含有する好ましくは単相の組成物の濡れ性が改善される。本目的のためには、機能添加剤は、固体表面上における、イオン液体の濡れ性および／または拡散挙動を改善する物質である。本明細書では、濡れは、液体によって表面を覆うことを意味する。改善された濡れ挙動は、濡れていない場所が少ししか存在しないことおよび濡れが均一であることによって認めることができる。
【００７０】
本目的のための拡散は、固体表面の自然発生的な濡れである。液体は、表面上で平たい円盤の形態で自然発生的に拡散する。理想的な場合には、単分子膜が形成され、接触角はゼロである。液体の表面張力の低下は、拡散のための必要条件であるが、十分条件ではない。拡散は、もっぱら疎水性表面上で生ずる。
【００７１】
イオン液体と一緒に使用される場合に有効な湿潤剤および展着剤としての下記に記載する主に界面活性である物質の発見は、それだけに驚くべきことである。
【００７２】
本発明の組成物は、固体表面の永続する濡れに役立ち、少なくとも１種のイオン液体、および少なくとも１種の機能添加剤、および適切な場合、溶媒および／またはさらなる助剤もしくは添加剤を含有する。
【００７３】
本発明の組成物は、５０から９９．９９９重量％、好ましくは８０から９９．９９９重量％、特には少なくとも９５重量％、および特に好ましくは＞９８から９９．９９９重量％の１種以上のイオン液体と、
０から２０重量％、好ましくは０から１０重量％および特に好ましくは０から５重量％の溶媒と、
０から２０重量％、好ましくは０から１０重量％および特に好ましくは０から５重量％の助剤および添加剤と、
０．００１から１０重量％、好ましくは０．００１から５重量％および特に好ましくは０．０５から１重量％の１種以上の本発明の機能添加剤とを含み、
ここで、組成物の全ての成分の合計は、１００重量％である。
【００７４】
本発明の組成物中に機能添加剤として湿潤剤または展着剤を使用することが好ましい。
【００７５】
さらに、本発明の組成物は、好ましくは単相からなる。
【００７６】
本発明の組成物中に機能添加剤として１種以上の界面活性剤を使用することが好ましい。
【００７７】
本発明の組成物は、溶媒として有機溶媒または水および／またはそれらの混合物を含有することができ、好ましくは、溶媒または有機溶媒が存在しない。
【００７８】
界面活性剤それ自体は、非イオン性を有する水系または有機系において使用される。
【００７９】
驚くべきことにかつまったく予想外には、記載された界面活性剤も、イオン液体の濡れ性および拡散挙動にプラスに影響し得る。イオン液体と一緒に使用される場合、それらは、したがって、所望の方法でこれらの成分を含有する組成物の分散挙動および付着挙動に影響を与えることができるという利点を提供する。
【００８０】
次式においては、基Ｐは、
−（ＣＨ２−）ｇ（ＯＣ２Ｈ４−）ｈ（ＯＣ３Ｈ６−）ｉ（ＯＣ４Ｈ８）ｊ（ＯＣＨ２ＣＨ（Ｃ６Ｈ５））ｋＯＲ２０
である
（ここで、
Ｒ２０は、水素、アルキルまたはカルボキシル基である。
Ｒ２０は、好ましくは、水素またはメチル基またはアセチル基である。
指数ｇは、０から６であり、
指数ｈは、０から２０であり、
指数ｉは、０から５０であり、ここで、ｈ＋ｉ≧１であり、
指数ｊは、０から１０であり、
指数ｋは、０から１０である）。
【００８１】
指数ｇは、０から３であり、指数ｈは、５から８０であり、指数ｉは、０から３０であることが好ましく、指数ｊおよびｋは、好ましくは、＜５、特には０である。
【００８２】
次式においては、基Ｒ２１は、水素、または１〜２５個の炭素原子を有する直鎖もしくは分枝、飽和もしくは不飽和アルキル基、例えば、メチル、エチル、１−プロピル、２−プロピル、１−ブチル、２−ブチル、２−メチル−１−プロピル（イソブチル）、２−メチル−２−プロピル（ｔｅｒｔ−ブチル）、１−ペンチル、２−ペンチル、３−ペンチル、２−メチル−１−ブチル、３−メチル−１−ブチル、２−メチル−２−ブチル、３−メチル−２−ブチル、２，２−ジメチル−１−プロピル、１−ヘキシル、２−ヘキシル、３−ヘキシル、２−メチル−１−ペンチル、３−メチル−１−ペンチル、４−メチル−１−ペンチル、２−メチル−２−ペンチル、３−メチル−２−ペンチル、４−メチル−２−ペンチル、２−メチル−３−ペンチル、３−メチル−３−ペンチル、２，２−ジメチル−１−ブチル、２，３−ジメチル−１−ブチル、３，３−ジメチル−１−ブチル、２−エチル−１−ブチル、２，３−ジメチル−２−ブチル、３，３−ジメチル−２−ブチル、ヘプチル、オクチル、ノニル、デシル、ウンデシル、ドデシル、トリデシル、テトラデシル、ペンタデシル、ヘキサデシル、ヘプタデシル、オクタデシル、ノナデシル、イコシル、ヘンイコシル、ドコシル、トリコシル、テトラコシル、ペンタコシル、ヘキサコシル、ヘプタコシル、オクタコシル、ノナコシル、トリアコンチル、フェニルメチル（ベンジル）、ジフェニルメチル、トリフェニルメチル、２−フェニルエチル、３−フェニルプロピル、シクロペンチルメチル、２−シクロペンチルエチル、３−シクロペンチルプロピル、シクロヘキシルメチル、２−シクロヘキシルエチル、３−シクロヘキシルプロピル、アリル、ウンデカエニル、ドデカエニル、オクタデカエニル、エイコサエニル、ドコサエニル、テトラコサエニル、オクタデカジエニル、オクタデカトリエニル、エイコサテトラエニル、エイコサペンタエニル、ドコサペンタエニルまたはドコサヘキサエニルである。
【００８３】
１．非イオン有機界面活性剤：
・一般式
【化２５】
2009185287.tif 000026
のアルキルアミンアルコキシレート、例えば、ポリエチレングリコールココスアミン（polyethylene glycol cocosamine）（VARONIC K-202もしくはK-202 PもしくはK-205の商品名で市販されている）、またはポリエチレングリコールステアリルアミン（Varonic Sの商品名で市販されている）
・一般式
【化２６】
2009185287.tif 000027
のアミドアミン、例えば、ステアリルアミドプロピルジメチルアミン（ADOGEN S-18 Vの商品名で市販されている）
・一般式
【化２７】
2009185287.tif 000028
のアルカノールアミド、例えば、ジエタノールアミド（REWOMID DC212SもしくはREWOMID S280もしくはVARAMID 70の商品名で市販されている）
・一般式
【化２８】
2009185287.tif 000029
のエトキシル化モノエタノールアミド（REWOCOROS AC 100もしくはVARAMIDE T-55の商品名で市販されている）
・アルキルホスフィンオキシド、例えば、ジメチルデシルホスフィンオキシド（APO 10の商品名で市販されている）
・アルキル−Ｎ−グルカミド、例えば、オクチル−Ｎ−グルカミド（MEGA-10の商品名で市販されている）
・アルキルグルコシド、例えば、ｎ−ノニル−β−Ｄ−グルコピラノシドまたはオクチル−β−Ｄ−チオグルコピラノシド（AGNIQUE PGシリーズの商品名で市販されている）
・胆汁酸、例えば、コラン酸またはコール酸
・一般式
Ｒ２１−Ｐ
のアルキルアルコキシレート、例えば、ポリエチレングリコールｐ−１、１、３、３−テトラメチルブチル）フェニルエーテル（TRITON X-100の商品名で市販されている）、またはポリエチレングリコールイソトリデシルエーテル（GENAPOL X-080もしくはTEGO Alkanol TD 6の商品名で市販されている）、またはポリエチレングリコールステアリルエーテル（TEGO Alkanol S 2、S 10、S 20Pの商品名で市販されている）、またはポリエチレングリコールオレイルエーテル（TEGO Alkanol O 20の商品名で市販されている）、またはポリプロピレングリコールミリスチルエーテル（VARONIC APMの商品名で市販されている）、またはポリエチレングリコールノニルフェニルエーテル（REWOPAL HV 10の商品名で市販されている）、またはポリエチレングリコール−ポリプロピレングリコールコポリマー（PLURONIC、例えば、F68もしくはF127の商品名で市販されている）
・ポリエーテルポリオール（例えば、TERGITOL L-62 EおよびL-62およびL-81の商品名で市販されている）
・一般式
【化２９】
2009185287.tif 000030
のソルビタンエステル、例えば、ソルビタンモノラウレート（TEGO SMLの商品名で市販されている）、またはソルビタントリオレエート（TEGO STOの商品名で市販されている）、
・ソルビタンエステルエトキシレート、例えば、ポリオキシエチレンソルビタンモノラウレート（TEGO SML 20の商品名で市販されている）、またはポリエチレングリコールモノオレエート（TEGO SMOの商品名で市販されている）、またはポリエチレングリコールソルビタントリステアレート（TEGO STSの商品名で市販されている）
・一般式
Ｒ２１−ＯＨ
の脂肪アルコール、例えば、イソステアリルアルコール（TEGO Alkanol 66の商品名で市販されている）、またはオレイルアルコール（TEGO Alkanol 80、85および90の商品名で市販されている）、
・一般式
【化３０】
2009185287.tif 000031
の脂肪酸エトキシレート、例えば、ポリエチレングリコールステアレート（TEGO Acid Sの商品名で市販されている）、またはポリエチレングリコールオレエート（AROSURF 8-190もしくはREWOPAL EO 70の商品名で市販されている）
・一般式
【化３１】
2009185287.tif 000032
のエステル油、例えば、イソプロピルパルミテート（TEGOSOFT Pの商品名で市販されている）、またはエチルヘキシルパルミテート（TEGOSOFT OP）
・エステルエトキシレート、例えば、ポリエチレングリコールグリセリルラウレート（TAGAT L2の商品名で市販されている）、またはポリエチレングリコールグリセリルオレオリシノレート（TAGAT V20の商品名で市販されている）、またはポリエチレングリコールグリセリルココエート（Varonic LIの商品名で市販されている）
・有機変性シロキサン（organomodified siloxanes）、例えば：ＴＥＧＯＰＲＥＮシリーズまたはＴＥＧＯ  ＷＥＴシリーズの商品名で市販されているポリエーテルシロキサン。
【００８４】
特に適切なポリエーテルシロキサン誘導体は、一般式（ＸＶＩＩＩ）
【化３２】
2009185287.tif 000033
のものである
（式中、
基Ｒｆは、基Ｒ１であってよく、ここで、
Ｒ１は、１から４個の炭素原子を有するアルキル基もしくはアリール基であり、
または
基Ｒｆは、基Ｒ２もしくはＲ３であり、但し、少なくとも１つの基Ｒｆは、基Ｒ２であり、ここで、
Ｒ２およびＲ３は、互いに独立して、式（ＸＩＸ）
（Ｆ）ｑ（Ｏ（Ｃ２Ｈ４−ｄＲ’ｄＯ）ｍ（ＣｘＨ２ｘＯ）ｒＺ）ｗ  （ＸＩＸ）
のポリエーテル基であり、
ここで、
ｄは、１から３であり、
ｍは、＞１であり、
ｑは、０もしくは１であり、
ｘは、２から１０であり、
ｒは、＞１であり、
ｗは、１から４であり、
Ｆは、分枝であってもよい炭化水素基であり、
Ｒ’は、水素基、１から１８個の炭素原子を有する１価炭化水素基であり、
Ｚは、Ｈ原子、またはアルキルもしくはアルキルエステルもしくはアリールエステルなどの１価有機基であり、
ここで、式（ＸＩＩＩ）において
ｂは、０から８であり、
ａは、ｂが、６から８である場合、１から１００であり、
ａは、ｂが、３から６である場合、１から２００であり、
ａは、ｂが、０から３である場合、１から３００である）。
【００８５】
本発明によって付随的に使用されるシリコーンポリエーテルコポリマーは、一般的に平衡混合物の形態で存在するため、ａおよびｂの値は、平均値である。
【００８６】
基Ｒ１は、１から４個の炭素原子を有するアルキル基、例えば、メチル、エチル、プロピルまたはブチル基、またはアリール基であり、フェニル基が好ましい。製造および価格の理由のため、メチル基が好ましく、基Ｒ１の少なくとも８０％は、メチル基である。全てのＲ１が、メチル基であるポリシロキサンは、特に好ましい。
【００８７】
シロキサン混合物は、直鎖（ｂ＝０）または分枝（ｂ＞０から８）であり得る。ａの値は、経験に基づいて、ｂの値と指示された方法でのみ組み合わすことができる。なぜなら、さもなければ、増加した粘性によって取り扱いが困難になるからである。
【００８８】
特に好ましいシリコーンポリエーテルコポリマーは、一般式（ＸＸ）
【化３３】
2009185287.tif 000034
のものである
（式中、
ｍ＝０から３０であり、
ｋ＝１から５であり、
Ｒ１は、１から１０個のエチレンオキシド分子および１から２５個のプロピレンオキシド分子と反応させたアリルアルコールまたはアルキル開始ポリエーテル（alkyl-initiated polyether）であり、
・例えば、商品名ＴＥＧＯＰＲＥＮ  ７１００の商品名で市販されている官能化ポリエーテルシロキサン
・ブロック構造を有するポリエーテルシロキサン
である。
【００８９】
適切なポリエーテルシロキサンは、式（ＸＸＩ）
【化３４】
2009185287.tif 000035
（式中、
基Ａは、平均式（ＸＸＩＩ）
［（Ｃ２Ｈ４−ｄＲ’ｄＯ）ｎ（ＣｘＨ２ｘＯ）ｒ（Ｃ２Ｈ４−ｄＲ”ｄＯ）ｔ］  （ＸＸＩＩ）
のポリオキシアルキレンブロックであり、
ここで、
ｄは、１から３であり、
ｎは、≧０であり、
ｘは、２から１０であり、
ｒは、≧０であり、
ｔは、０であり、
ｎ＋ｒ＋ｔ≧１であり、
Ｒ’は、１価芳香族、置換または非置換炭化水素基であり、
Ｒ”は、水素基、または１から１８個の炭素原子を有する１価炭化水素基であり、
Ｒ１は、Ｈ原子、Ｃ１〜Ｃ４０の鎖長を有する１価有機直鎖もしくは分枝アルキル基、または分枝もしくは非分枝アルキルエステルもしくはアリールエステルのカルボキシル基であり、
基Ｂは、平均式（ＸＸＩＩＩ）
【化３５】
2009185287.tif 000036
のポリシロキサンブロックであり、
ここで、
基Ｒ２は、同じか異なっており、各々、１から４個の炭素原子を有するアルキル基またはフェニル基であり、
ｙは、５から２００であり、
ｍは、２から１００であり、
ｐは、０または１であり、
ｑは、０または１である）、
あるいは、式（ＸＸＶＩ）
【化３６】
2009185287.tif 000037
の構造である
（式中、
基Ｒ１、基Ａ、基Ｂおよびｍ、ｐおよびｑは、上記に定義されたとおりであり、
基Ｃは、２から２０個の炭素原子を有する直鎖または分枝アルキレン基である）。
【００９０】
示された構造の化合物は、統計的混合物として存在し、したがって、示された指数は、混合物の算術平均に相当する。
【００９１】
２．カチオン界面活性剤
・テトラアルキルアンモニウム塩、例えば、セチルトリメチルアンモニウムブロミド
・アルキルピリジニウム塩、例えば、セチルピリジニウムクロリド
・一般式
【化３７】
2009185287.tif 000038
の、例えば、ＲＥＷＯＱＵＡＴ  ＷＥ  １５、ＶＡＲＩＳＯＦＴ  ＷＥ  １６またはＲＥＷＯＱＵＡＴ  ＷＥ  ３８  ＤＰＧの商品名で市販されている、エステルクアット、
・一般式
【化３８】
2009185287.tif 000039
の、例えば、ＶＡＲＩＳＯＦＴ  １１０−７５（Ｎ，Ｎ−ビス（ヒドロタローアミドエチル）−Ｎ−ポリエトキシ−Ｎ−メチルアンモニウムメチルスルフェート）、ＶＡＲＩＳＯＦＴ  ２２２  ＬＴ−９０（Ｎ，Ｎ−ビス（オレイルアミドエチル）−Ｎ−ポリエトキシ−Ｎ−メチルアンモニウムメチルスルフェート）、またはＲＥＷＯＱＵＡＴ  ＷＥ  ３８  ＤＰＧもしくは  ＶＡＲＩＱＵＡＴ  ２３８−９０（Ｎ，Ｎ−ビス（タローアミドエチル）−Ｎ−ポリプロポキシ−Ｎ−メチルアンモニウムメチルスルフェート）の商品名で市販されている、ジアミドアミンクアット、
・例えば、ＲＥＷＯＱＵＡＴ  Ｗ  ９０、ＶＡＲＩＱＵＡＴ  ５５またはＲＥＷＯＱＵＡＴ  Ｗ３６９０の商品名で市販されている、イミダゾリニウムクアット、
・例えば、ＶＡＲＩＱＵＡＴ  ６３８（Ｎ−メチル−Ｎ，Ｎ−ビス（２−ヒドロキシエチル）−Ｎ−ココアンモニウムクロリド）の商品名で市販されている、アルコキシアルキルクアット、
・一般式
【化３９】
2009185287.tif 000040
の、例えば、ＶＡＲＩＱＵＡＴ  ８０  ＭＣ（ジメチルアルキル（Ｃ１２〜Ｃ１６）ベンジルアンモニウムクロリド）およびＶＡＲＩＱＵＡＴ  ＳＤＡＣ（ジメチルステアリルベンジルアンモニウムクロリド）の商品名で市販されている、ベンジルクアット、
・例えば、ＴＥＧＯＰＲＥＮ  ６９２１（ジ第４級ポリジメチルシロキサン］、ＴＥＧＯＰＲＥＮ  ６９２４［ジ第４級ポリジメチルシロキサン）およびＴＥＧＯＰＲＥＮ  ７９９０（ジ第４級ポリエーテルポリジメチルシロキサン）の商品名で市販されている、シリコーンクアット。
【００９２】
３．両性界面活性剤
・一般式
【化４０】
2009185287.tif 000041
のベタイン、例えば、３−［Ｎ，Ｎ−ジメチル（３−ミリストイルアミノプロピル）アンモニオ］プロパンスルホネート（アミドスルホベタイン−１４の商品名で市販されている）または１−（３−スルホプロピル）ピリジニウムベタインまたは３−ドデシルジメチルアンモニオプロパン−１−スルホネート（ZWITTERGENT 3-12の商品名で市販されている）または３−［（３−コラミドプロピル）ジメチルアンモニオ］−１−プロパンスルホネート（CHAPSの商品名で市販されている）またはラウリルベタイン（REWOTERIC AM DML-35の商品名で市販されている）またはコカミドプロピルベタイン（TEGO Betain F50もしくはL7の商品名で市販されている）、アルキルグリシン、例えば、ｎ−ドデシル−Ｎ，Ｎ−ジメチルグリシン（EMPIGEN BBの商品名で市販されている）またはタローグリシン（Rewoteric AM TEGの商品名で市販されている）
・一般式
【化４１】
2009185287.tif 000042
のサルテイン（sultaine）、例えば、コカミドプロピルヒドロキシサルテイン（REWOTERIC AM CASの商品名で市販されている）
・一般式
【化４２】
2009185287.tif 000043
の両性プロピオネート、例えば、ココアンホプロピオネート（REWOTERIC AM KSF 40の商品名で市販されている）
・一般式
【化４３】
2009185287.tif 000044
の両性アセテート、例えば、ナトリウムココアンホアセテート（REWOTERIC AM Cの商品名で市販されている）
・一般式
【化４４】
2009185287.tif 000045
のアミンオキシド、例えば、コカミドプロピルジメチルアミンオキシド（VAROX 1770の商品名で市販されている）
・例えば、ＴＥＧＯＰＲＥＮ  ６９５０の商品名で市販されているシリコーンベタイン。
【００９３】
４．パーフルオロ界面活性剤
・パーフルオロアルキルスルホネート、例えば、パーフルオロオクタンスルホネート（ＰＦＯＳ）
・パーフルオロカルボン酸、例えば、パーフルオロオクタン酸（ＰＦＯＡ）
・フッ化テロメアアルコール（fluorinated telomere alcohol）。
【００９４】
５．ジェミニ界面活性剤
・例えば、ＳＵＲＦＹＮＯＬ  １０４の商品名で市販されているアセチルジオール
・例えば、ＳＵＲＦＹＮＯＬ  ４００またはＳＵＲＦＹＮＯＬ  ２５０２の商品名で市販されているアセチレンジオールアルコキシレート
・例えば、ＤＹＮＯＬ  ６０４の商品名で市販されているアセチレングリコール
・例えば、ＥＮＶＩＲＯＧＥＭ  ＡＤＯ１、ＥＮＶＩＲＯＮＧＥＭ  ＡＥ０１、ＥＮＶＩＲＯＮＧＥＭ  ＡＥ０２およびＥＮＶＩＲＯＮＧＥＭ  ＡＥ０３の商品名で市販されているアルカンジオール、アルカンジカルボン酸およびそれらのエステル
・ＥＮＶＩＲＯＮＧＥＭ  ３６０
・ビスピリジニオアルカン、例えば、１，４−ビス（α−オクチルピリジノ）ブタンジブロミドまたは１，４−ビス（α−ドデシルピリジニウム）ブタンジクロリド
・例えば、ＴＥＧＯ  ＴＷＩＮ  ４０００の商品名で市販されている、ＥＰ  Ａｌ−１  ３８２  ６３２に記載されているシロキサンベースのジェミニ界面活性剤。ＥＰ  Ａｌ−１  ３８２  ６３２の内容は、本開示に参照により全体的に組み込まれている。
【００９５】
本発明の組成物は、好ましくは、機能添加剤として、１種以上の非イオン界面活性剤、特に好ましくは１種以上の有機変性シロキサン、特に好ましくは１種以上のポリエーテルシロキサン、および特に式（ＸＶＩＩＩ）のポリエーテルシロキサンを含有する。
【００９６】
登録商標は、大文字で示されている。商標所有者は以下の通りである：
ＴＥＧＯ、ＴＥＧＯＳＵＲＦ、ＡＲＯＳＵＲＦ、ＲＥＷＯＱＵＡＴ、ＶＡＲＯＮＩＣ、ＡＤＯＧＥＮ、ＲＥＷＯＭＩＤ、ＶＡＲＡＭＩＤ、ＲＥＷＯＣＯＲＯＳ、ＲＥＷＯＰＡＬは、Ｅｖｏｎｉｋ  Ｇｏｌｄｓｃｈｍｉｄｔ  ＧｍｂＨの商標である。
ＳＵＲＦＹＮＯＬ、ＤＹＮＯＬ、ＥＮＶＩＲＯＧＥＭは、Ａｉｒ  Ｐｒｏｄｕｃｔｓ，Ｉｎｃの商標である。
ＡＧＮＩＱＵＥは、Ｃｏｇｎｉｓの商標である。
ＴＲＩＴＯＮは、ＤＯＷ  Ｃｈｅｍｉｃａｌ  Ｃｏｍｐａｎｙの商標である。
ＧＥＮＡＰＯＬは、Ｃｌａｒｉａｎｔの商標である。
ＰＬＵＲＯＮＩＣは、ＢＡＳＦ  ＡＧの商標である。
ＥＭＰＩＧＥＮは、Ａｌｂｒｉｇｈｔ＆Ｗｉｌｓｏｎの商標である。
ＶＡＲＯＸは、Ｒ．Ｔ．Ｖａｎｄｅｒｂｉｌｔの商標である。
ＺＷＩＴＴＥＲＧＥＮＴは、Ｃａｌｂｉｏｃｈｅｍ−Ｎｏｖａｃｈｅｍの商標である。
【００９７】
上述の機能添加剤は、イオン液体と一緒に単独でまたは互いの任意の混合物で使用することができる。さらなる通例の溶媒、助剤および添加剤も、同様に混合することができる。
【００９８】
固体表面の例は、ガラス、金属、半導体、ポリマー、セラミック、石および革、ならびにこれらの物質を含む布または膜である。
【００９９】
金属表面の例は、アルミニウム、クロミウム、ニッケル、マグネシウム、チタニウム、バナジウム、鉄、銅、亜鉛、コバルト、ガリウム、ゲルマニウム、ジルコニウム、モリブデン、パラジウム、銀、スズ、タングステン、白金、金、鉛およびそれらの合金（特定の鋼において炭素などの他の元素も含む）の表面である。鋼の表面の例は、Ｓ２３５ＪＲＧ２鋼の表面である。
【０１００】
半導体表面の例は、シリコンおよび二酸化チタニウムの表面である。
【０１０１】
ポリマー表面の例は、天然または合成の熱可塑性樹脂、熱硬化性樹脂およびエラストマーの表面である。プラスチック表面の例は、ポリメチルメタクリレート、ポリアクリロニトリル、ポリアクリル酸などのポリアクリレート、ポリ塩化ビニルなどのポリハロゲン化ビニル、ポリビニルアルコール、ポリエチレン、ポリプロピレン、ポリブタジエン、ポリアクリロニトリル、ポリエーテルスルホン、ポリスルホン、ポリエーテルスルホン、ポリケトン、ポリエステル、ポリカーボネート、ポリスチレン、ホルムアルデヒド樹脂、エポキシ樹脂、ポリアミド、ポリウレア、ポリウレタン、ポリイミド、ポリフェノール、ポリピロール、ポリフラン、ポリチオフェン、ポリベンズイミダゾール、ポリアミン、ポリアンヒドリド、ポリテトラフルオロエチレン、ポリビニリデンフルオリド、ポリアセテート、ポリシロキサン、ポリシラン、それらのコポリマーおよびブレンド、ならびにそれらの混合物またはコポリマー、オリゴマーおよびブロック（コ）ポリマーである。天然ポリマーは、ゴム、リグニン、多糖、ポリヒドロキシ酪酸およびタンパク質である。
【０１０２】
セラミック表面の例は、粘土、カオリン、粘土鉱物、酸化アルミニウム、酸化ベリリウム、酸化ジルコニウム、炭化ケイ素、窒化ケイ素、窒化アルミニウム、窒化ホウ素、炭化ホウ素の表面である。
【０１０３】
固体表面のうちでは、膜表面が特に好ましい。
【０１０４】
本発明は、同様に、１種以上のイオン液体、および１種以上の機能添加剤、および同様にさらなる添加剤および／または助剤を含む組成物の使用を提供し、ここで、この組成物は、機能添加剤を添加しないものと比べて、少なくとも１０°小さい、好ましくは２０°小さい、特に好ましくは３０°小さい、非常に特に好ましくは４０°小さい処理表面との接触角を有する。
【０１０５】
本発明は、同様に、イオン液体によって固体表面を濡らす方法、好ましくは機能添加剤の添加によって最適化された濡らす方法における使用を提供し、特に好ましくは、濡れた表面が、機能添加剤を添加しないものと比べて、少なくとも３０％大きく、好ましくは５０％大きく、特に好ましくは８０％大きく、非常に特に好ましくは１００％大きい。これは、濡れた領域の直径の増加とも関係し、この濡れた領域の直径は、同様に、機能添加剤を添加しない濡れた表面の直径に比べて少なくとも５０％大きい。
【０１０６】
イオン液体および機能添加剤の混合比は、１０００００：１から１：１００００、好ましくは１００００：１から１：１、特に好ましくは１００００：１から１０：１、非常に特に好ましくは１０００：１から１００：１の範囲である。
【０１０７】
混合物は、さらなる溶媒、特に有機溶媒および／または水を含有してもよい。好ましい有機溶媒は、脂肪族、脂環式、芳香族、複素環式、複素芳香族置換または非置換アルコール、アルデヒド、ケトン、カルボン酸エステル、カルボキサミド、無水カルボン酸、カルボネート、カルバメート、ナイトレート、エーテル、ポリエーテル、アルカン、アルケン、ハロゲン化炭化水素、チオール、チオエーテル、チオエステル、アミノ酸、ポリオール、スルホン、スルホキシド、尿素およびチオ尿素である。
【０１０８】
全混合物中の溶媒の割合は、９９．９％から０．０１％、好ましくは５０％から０．０５％、特に好ましくは２５％から０．１％、非常に特に好ましくは１０％から０．５％の範囲である。
【０１０９】
この混合物は、多くの他の化学工業プロセスに、例えば一般的には金属加工工業において、例えば、冷却潤滑油、焼き入れ油（hardening oils）、圧媒油エマルジョン、研磨ペースト、離型剤（mold release agents）、引き抜き油、酸洗い剤または金属清浄剤にも有利に使用し得る。
【０１１０】
さらに、本発明の混合物は、皮革、紙、印刷、電気メッキおよび写真産業において使用し得る。
【０１１１】
さらに、この混合物は、水処理、例えば、排水の処理に使用し得る。
【０１１２】
さらに、この混合物は、作物保護製剤において使用し得る。
【０１１３】
界面活性剤は、単独でまたは互いの混合物中のいずれかで使用することができ、用途に応じて特異的に選択し得るさらなる添加剤および助剤を含有することができる。
【０１１４】
本発明のさらなる対象は、特許請求の範囲によって特徴付けられ、特許請求の範囲の開示内容は、本明細書の開示に参照によって完全に組み込まれている。
【０１１５】
本発明の機能添加剤およびそれらの使用は、下記に例として説明されるが、本発明は、これらの例示の実施形態に限定されない。化合物のレンジ、一般式またはクラスが以下に示される場合、これらは、明確に記載された化合物の相当するレンジまたはグループのみならず、個々の数値（レンジ）または化合物を無視することによって得ることができる化合物の全てのサブレンジおよびサブグループも包含する。
【実施例】
【０１１６】
本発明が、次の実施例において例として記載されるが、その範囲が全体の本明細書および特許請求の範囲によって示されている本発明を、この実施例に記載される実施形態に限定することを意味しない。
【０１１７】
実験手順
８ｇのイオン液体（ＩＬ）を、容器に置き、０．０４ｇの機能添加剤を計量した。このサンプルを、均一になるまでスパチュラで撹拌し、続いて５０μｌを、ＰＰフィルム上にピペットで移した。５分後の最大拡散を測定した。得られた円の直径（Ｄ）を、ｍｍ単位で測定する。測定値が高ければ高いほど、拡散および濡れならびにしたがって本発明の機能添加剤の効果が大きい。
【０１１８】
表１：
イオン液体の濡れ挙動／拡散挙動（５分後に測定された拡散）。濃度は、上記の実験手順によって与えられる。測定は、室温で実施された。
【０１１９】
【表１】
2009185287.tif 000046
【０１２０】
機能添加剤の添加によって濡れた表面積の有意な増加がもたらされることが明らかに理解し得る。濡れた領域の直径は、機能添加剤を含まない濡れた領域の直径に比べて５０％を超えて大きいことが、それぞれの場合において、例として示されている。濡れた領域それ自体は、相対的にさらに大きい程度に増加している。
【０１２１】
測定されたイオン液体のポリプロピレンフィルム（ＰＰフィルム）との接触角は、機能添加剤の添加後に有意に変化する。
【０１２２】
接触角は、機能添加剤の拡散性の尺度である。接触角が小さいほど、拡散能力は大きい（次の表におけるより高いレンジの値）。
【０１２３】
使用した配合物は、上述の実験手順によって製造し、接触角は、ＤａｔａｐｈｙｓｉｃｓからのＰｅｎｄａｎｔ  Ｄｒｏｐ  Ｔｅｎｓｉｏｍｅｔｅｒ  ＯＣＡ  ３５を用いて測定した。
【０１２４】
表２−機能添加剤を添加したイオン液体の拡散能力。濃度は、上記実験手順から得られる。測定温度は、室温である。
【０１２５】
【表２】
2009185287.tif 000047
【０１２６】
【表３】
2009185287.tif 000048
【０１２７】
これは、示されたレンジの値の間に少なくとも３のレンジの値がある場合、少なくとも２０°の接触角の差位が得られることを示している。
【０１２８】
さらに、イオン液体および本発明の機能添加剤の混合物を、ガラス板にドクターブレードを用いて塗布し、製品の濡れ性および膜形成を調査した。
【０１２９】
この目的のために、８ｇのイオン液体を、容器に置き、０．０４から０．０８ｇの機能添加剤を計量した。この生成物を均一な混合物となるまでスパチュラを用いて撹拌した。この混合物の外観を評価し、表に示した。
【０１３０】
ガラス板を、水および洗浄剤を使用して予備洗浄し、続いて流水下ですすぎ、エタノールを用いて脱脂することによって準備した。このガラス板を、水平な基板上に置き、ガラス板の一端にボックスドクターブレード（box doctor blade）を置いた。上記液体の一部を、ボックスに導き、これをガラス板に直ちに引いた。塗布した層は、５０μｍ未満でなければならない。形成された層を直後に評価した。
【０１３１】
この時に、クレーターの数を数えた。
【０１３２】
この結果は、クレーターの数は、ブランクと比較して機能添加剤の添加によって有意に減少したことを示している。機能添加剤の添加によって、このようにイオン液体の濡れ性が改善される。
【外国語明細書】
2009185287000001.pdf